(57)【要約】【課題】機能ブロック（処理基板）の追加によるアップグレードを容易とする。【解決手段】筐体１０１には、処理基板１１１〜１１５が選択的に挿入されるスロット１０２ａ〜１０２ｄが設けられている。例えば、アップグレードステージ１では、高画質化処理基板１１１のみ挿入される。また例えば、アップグレードステージ２ａでは、高画質化処理基板１１１及びノイズ除去処理基板１１３が挿入される。制御基板１０４から制御バス１０９を介して各基板に基板間コマンド（共通コマンド）を送る。各基板は、基板間コマンドに対して適応的に動作する。スロットに挿入された各処理基板は、処理すべき画像信号を共有メモリ１０８の読み出し先から読み出し、処理後の画像信号を共有メモリ１０８の書き込み先に書き込む。処理基板の追加によるアップグレード時には、共有メモリ１０８に対する読み出し先、書き込み先を変更するのみで、各処理基板を所望の順に接続できる。【選択図】        図１
2006011648.tif 000002
【特許請求の範囲】
【請求項１】
情報信号を処理するための所定数の機能ブロックと、
上記所定数の機能ブロックの動作を制御する制御ブロックと、
共有メモリとを備え、
上記所定数の機能ブロックのうちの一つまたは複数の機能ブロックを用いて処理系が構成され、
上記処理系で、各機能ブロックは、処理で用いる信号を上記共有メモリから読み出し、処理結果を上記共有メモリに書き込む
ことを特徴とする情報信号処理装置。
【請求項２】
上記制御ブロックは、上記所定数の機能ブロックに共通コマンドを送り、
上記所定数の機能ブロックのそれぞれは、上記制御ブロックから送られてくる共通コマンドに応じて適応的に動作する
ことを特徴とする請求項１に記載の情報信号処理装置。
【請求項３】
上記機能ブロックは、それぞれ、インタプリタ部および信号処理部を備え、
上記インタプリタ部は、
上記共通コマンドと、上記信号処理部を制御するための制御プログラム、上記信号処理部の処理で用いられる信号を読み出すための上記共有メモリの領域を示す読み出し先情報および上記信号処理部の処理結果を書き込むための上記共有メモリの領域を示す書き込み先情報との対応関係を記憶する記憶手段と、
上記制御ブロックから送られてくる共通コマンドに対応した上記制御プログラム、上記読み出し先情報および上記書き込み先情報を、上記記憶手段から読み出す読み出し手段と、
上記読み出し手段で読み出された上記制御プログラムに基づいて上記信号処理部の動作を制御する制御手段と、
上記読み出し手段で読み出された上記読み出し先情報に基づいて上記信号処理部の処理で用いられる信号を読み出すための上記共有メモリの領域を設定すると共に、上記読み出し手段で読み出された上記書き込み先情報に基づいて上記信号処理部の処理結果を書き込むための上記共有メモリの領域を設定する設定手段とを有する
ことを特徴とする請求項２に記載の情報信号処理装置。
【請求項４】
上記制御ブロックと上記所定数の機能ブロックとは、制御バスを介して接続される
ことを特徴とする請求項１に記載の情報信号処理装置。
【請求項５】
上記所定数の機能ブロックは、それぞれ、筐体に設けられたスロットに挿入されることで上記制御バスに接続される
ことを特徴とする請求項４に記載の情報信号処理装置。
【請求項６】
上記所定数の機能ブロックを用いて、それぞれ、一つまたは複数の機能ブロックからなる一つまたは複数のステートの処理系が構成され、
上記制御ブロックは、
各ステートで発生し得る共通コマンドとステート遷移との関係であるステート遷移情報に基づいて、上記所定数の機能ブロックに共通コマンドを送信すると共にステートの遷移を行う
ことを特徴とする請求項２に記載の情報信号処理装置。
【請求項７】
上記機能ブロックは、インタプリタ部および信号処理部を備え、
上記インタプリタ部は、
上記共通コマンドと、上記信号処理部を制御するための制御プログラム、上記信号処理部の処理で用いられる信号を読み出すための上記共有メモリの領域を示す読み出し先情報および上記信号処理部の処理結果を書き込むための上記共有メモリの領域を示す書き込み先情報との対応関係を記憶する第１の記憶手段を有し、
上記所定数の機能ブロックのうちのそれぞれ一つまたは複数の機能ブロックを用いて、一つまたは複数のステートの処理系が構成され、
上記制御ブロックは、各ステートで発生し得る共通コマンドとステート遷移との関係であるステート遷移情報を記憶する第２の記憶手段を有し、
上記制御ブロックは、上記所定数の機能ブロックに新たな機能ブロックを追加したアップグレード時に、上記第１の記憶手段および上記第２の記憶手段にアップグレードデータを書き込む
ことを特徴とする請求項２に記載の情報信号処理装置。
【請求項８】
上記所定数の機能ブロックおよび上記新たな機能ブロックは、それぞれ、筐体に設けられた複数のスロットのいずれかに接続され、
上記制御ブロックは、
上記所定数の機能ブロックおよび上記新たな機能ブロックの上記複数のスロットに対する接続情報を取得する情報取得手段と、
上記第１の記憶手段に書き込む上記アップグレードデータを取得するアップグレードデータ取得手段と、
上記アップグレードデータ取得手段で取得されたアップグレードデータのうち、上記読み出し先情報および上記書き込み先情報を、上記接続情報取得手段で取得された接続情報に基づいて、機能ブロックの識別子の形態から上記共有メモリの領域情報の形態に変更する情報変更手段と、
上記情報変更手段で上記読み出し先情報および上記書き込み先情報の形態が変更された後の上記アップグレードデータを、上記第１の記憶手段に書き込むアップグレードデータ書き込み手段とを有する
ことを特徴とする請求項７に記載の情報信号処理装置。
【請求項９】
インタプリタ部および信号処理部を備え、
上記インタプリタ部は、
共通コマンドと、上記信号処理部を制御するための制御プログラム、上記信号処理部の処理で用いられる信号を読み出すための共有メモリの領域を示す読み出し先情報および上記信号処理部の処理結果を書き込むための上記共有メモリの領域を示す書き込み先情報との対応関係を記憶する記憶手段と、
制御ブロックから送られてくる共通コマンドに対応した上記制御プログラム、上記読み出し先情報および上記書き込み先情報を、上記記憶手段から読み出す読み出し手段と、
上記読み出し手段で読み出された上記制御プログラムに基づいて上記信号処理部の動作を制御する制御手段と、
上記読み出し手段で読み出された上記読み出し先情報に基づいて上記信号処理部の処理で用いられる信号を読み出すための上記共有メモリの領域を設定すると共に、上記読み出し手段で読み出された上記書き込み先情報に基づいて上記信号処理部の処理結果を書き込むための上記共有メモリの領域を設定する設定手段とを有する
ことを特徴とする機能ブロック。
【請求項１０】
共有メモリから信号を読み出し、該信号に対して信号処理部で所定の処理を行い、処理結果を上記共有メモリに書き込む機能ブロックの制御方法であって、
記憶手段に、共通コマンドと、上記信号処理部を制御するための制御プログラム、上記信号処理部の処理で用いられる信号を読み出すための共有メモリの領域を示す読み出し先情報および上記信号処理部の処理結果を書き込むための上記共有メモリの領域を示す書き込み先情報との対応関係を記憶する工程と、
上記共通コマンドを受信する工程と、
上記記憶手段から上記受信された共通コマンドに対応した上記制御プログラム、上記読み出し先情報および上記書き込み先情報を読み出す工程と、
上記読み出された上記制御プログラムに基づいて上記信号処理部の動作を制御する工程と、
上記読み出された上記読み出し先情報に基づいて上記信号処理部の処理で用いられる信号を読み出すための上記共有メモリの領域を設定すると共に、上記読み出された上記書き込み先情報に基づいて上記信号処理部の処理結果を書き込むための上記共有メモリの領域を設定する工程と
を備える機能ブロックの制御方法。
【発明の詳細な説明】
【技術分野】
【０００１】
この発明は、例えば複数の機能ブロックを用いて画像信号を処理する画像信号処理装置等に適用して好適な情報信号処理装置、それを構成する機能ブロックおよびその機能ブロックの制御方法に関する。
【０００２】
詳しくは、この発明は、各機能ブロックが、処理で用いる信号を共有メモリから読み出し、処理結果を共有メモリに書き込む構成とすることによって、機能ブロックの追加によるアップグレードを容易とし、また複数の処理結果の使用を容易に行い得るようにした情報信号処理装置等に係るものである。
【背景技術】
【０００３】
従来、画像信号にノイズ除去、高画質化等の一連の処理を行って出力する画像信号処理装置において、これら一連の処理を複数の機能ブロック、例えば基板、チップ、装置等を用いて実現することが考えられている。この場合、機能ブロックの追加を行うことで、処理のアップグレードを図ることができる。機能ブロックを追加する場合に、機能ブロック間の配線変更が必要となる。
【０００４】
特許文献１に記載される画像信号処理システムでは、基板間のデータ通信を無線にすることで、基板間を流れる信号の制約を取り払い、基板間の配線変更などの煩わしさを回避している。
【０００５】
【特許文献１】特開２００３−１７９８２１号公報
【発明の開示】
【発明が解決しようとする課題】
【０００６】
上述した特許文献１では、公報第２３〜２４頁の「０２２３」〜「０２２６」の段落に記載されるように、コントローラは、装着された複数の処理基板を認識し、内蔵メモリに記憶されたテーブルに基づいて、画像信号の処理順序を設定する。したがって、この特許文献１に記載される画像信号処理システムでは、各処理基板の他にコントローラを必要とすることから回路規模が大きくなり、しかも画像信号の処理順序を設定する際にコントローラとそれぞれの処理基板との間で通信を行う必要があり、複雑な通信制御が必要となる等の問題点がある。
【０００７】
この発明の目的は、機能ブロックの追加によるアップグレードを容易とし、また複数の処理結果の使用を容易に行い得る情報信号処理装置等を提供することにある。
【課題を解決するための手段】
【０００８】
この発明に係る情報信号処理装置は、情報信号を処理するための所定数の機能ブロックと、この所定数の機能ブロックの動作を制御する制御ブロックと、共有メモリとを備え、所定数の機能ブロックのうちの一つまたは複数の機能ブロックを用いて処理系が構成され、この処理系で、各機能ブロックは、処理で用いる信号を共有メモリから読み出し、処理結果を共有メモリに書き込むものである。
【０００９】
また、この発明に係る機能ブロックは、インタプリタ部および信号処理部を備えるものである。そして、このインタプリタ部は、共通コマンドと、信号処理部を制御するための制御プログラム、信号処理部の処理で用いられる信号を読み出すための共有メモリの領域を示す読み出し先情報および信号処理部の処理結果を書き込むための共有メモリの領域を示す書き込み先情報との対応関係を記憶する記憶手段と、制御ブロックから送られてくる共通コマンドに対応した制御プログラム、読み出し先情報および書き込み先情報を、記憶手段から読み出す読み出し手段と、この読み出し手段で読み出された制御プログラムに基づいて信号処理部の動作を制御する制御手段と、読み出し手段で読み出された読み出し先情報に基づいて信号処理部の処理で用いられる信号を読み出すための共有メモリの領域を設定すると共に、読み出し手段で読み出された書き込み先情報に基づいて信号処理部の処理結果を書き込むための共有メモリの領域を設定する設定手段とを有するものである。
【００１０】
また、この発明に係る機能ブロックの制御方法は、共有メモリから信号を読み出し、この信号に対して信号処理部で所定の処理を行い、処理結果を共有メモリに書き込む機能ブロックの制御方法であって、記憶手段に、共通コマンドと、信号処理部を制御するための制御プログラム、信号処理部の処理で用いられる信号を読み出すための共有メモリの領域を示す読み出し先情報および信号処理部の処理結果を書き込むための共有メモリの領域を示す書き込み先情報との対応関係を記憶する工程と、共通コマンドを受信する工程と、記憶手段から受信された共通コマンドに対応した制御プログラム、読み出し先情報および書き込み先情報を読み出す工程と、読み出された上記制御プログラムに基づいて信号処理部の動作を制御する工程と、読み出された読み出し先情報に基づいて信号処理部の処理で用いられる信号を読み出すための共有メモリの領域を設定すると共に、読み出された書き込み先情報に基づいて信号処理部の処理結果を書き込むための共有メモリの領域を設定する工程とを備えるものである。
【００１１】
この発明においては、制御ブロックは所定数の機能ブロックの動作を制御する。例えば、制御ブロックと所定数の機能ブロックとは、制御バスを介して接続されている。また例えば、所定数の機能ブロックは、それぞれ、筐体に設けられたスロットに挿入されることで、制御バスに接続される。例えば、制御ブロックから、所定数の機能ブロックに、上述した制御バスを介して、共通コマンドが送られる。各機能ブロックは、制御ブロックから送られてくる共通コマンドに応じて、適応的に動作する。
【００１２】
所定数の機能ブロックのうちの一つまたは複数の機能ブロックを用いて処理系が構成される。この処理系で、各機能ブロックは、処理で用いる信号を共有メモリから読み出し、また処理結果を共有メモリに書き込む。つまり、処理系を構成する各機能ブロックは直接接続されておらず、共有メモリを介して接続される。この場合、共有メモリの読み出し先、書き込み先を変更するのみで、各機能ブロックを所望の順に接続できる。
【００１３】
例えば、機能ブロックは、インタプリタ部および信号処理部を備えている。そして、インタプリタ部は、共通コマンドと、信号処理部を制御するための制御プログラム、信号処理部の処理で用いられる信号を読み出すための共有メモリの領域を示す読み出し先情報および信号処理部の処理結果を書き込むための共有メモリの領域を示す書き込み先情報との対応関係を記憶する記憶手段を備えている。
【００１４】
機能ブロックでは、制御ブロックから送られてくる共通コマンドに対応した制御プログラムに基づいて、信号処理部の動作が制御される。またこの場合、制御ブロックから送られてくる共通コマンドに対応した読み出し先情報に基づいて、共有メモリの所定領域から信号処理部の処理で用いられる信号が読み出され、また当該共通コマンドに対応した書き込み先情報に基づいて、処理結果が共有メモリの所定領域に書き込まれる。
【００１５】
例えば、所定数の機能ブロックを用いて、一つまたは複数の機能ブロックからなる一つまたは複数のステートの処理系が構成される。この場合、制御ブロックは、各ステートで発生し得る共通コマンドとステート遷移との関係であるステート遷移情報に基づいて、所定数の機能ブロックに共通コマンドを送信すると共にステートの遷移を行う。
【００１６】
既存の所定数の機能ブロックに新たな機能ブロックを追加することでアップグレードが図られる。この場合、制御ブロックは、機能ブロックのインタプリタ部に備えてある記憶手段にアップグレードデータを書き込むと共に、ステート遷移情報を記憶してある自己の記憶手段、例えばプログラムメモリにアップグレードデータを書き込む。
【００１７】
所定数の機能ブロックおよび新たな機能ブロックが筐体に設けられた複数のスロットのいずれかに接続されるものである場合、制御ブロックは、各機能ブロックのインタプリタ部に備えてある記憶手段に書き込むためのアップグレードデータを取得した後、機能ブロックの接続情報に基づいて、読み出し先情報および書き込み先情報を、機能ブロックの識別子の形態から共有メモリの領域情報の形態に変更し、当該変更後のアップグレードデータを各機能ブロックのインタプリタ部の記憶手段に書き込む。このように読み出し先情報および書き込み先情報の形態を変更することで、複数の機能ブロックおよび新たな機能ブロックが接続されるスロットを任意とできる。
【００１８】
上述したように、処理系を構成する各機能ブロックは直接接続されておらず、共有メモリを介して接続される。この場合、共有メモリに対する読み出し先、書き込み先を変更するのみで、各機能ブロックを所望の順に接続できる。したがって、ユーザが配線変更などを行うことなく、機能ブロックの追加によるアップグレードを容易に行うことができ、また読み出し先を複数設定しておくことで、複数の処理結果を使用した処理を容易に行うことができる。
【００１９】
また、所定数の機能ブロックは、制御ブロックから送られてくる共通コマンドに応じて、適応的に動作する。したがって、所定の機能ブロックをバージョンアップして機能のアップグレードを図る場合に、制御ブロックからの共通コマンドを変化させる必要はなく、容易に行うことができる。つまりこの場合、この所定の機能ブロックの記憶手段に記憶されている共通コマンドと制御プログラムとの対応関係がバージョンアップに対応したものとなっており、バージョンアップされた機能部を制御するための機能ブロック内コマンドが得られるようになっていればよい。
【発明の効果】
【００２０】
この発明によれば、各機能ブロックが、処理で用いる信号を共有メモリから読み出し、処理結果を共有メモリに書き込む構成とするものであり、ユーザによる配線変更を行うことなく、機能ブロックの追加によるアップグレードを容易に行うことができ、また複数の処理結果を使用した処理を容易に行うことができる。
【発明を実施するための最良の形態】
【００２１】
以下、図面を参照しながら、この発明の実施の形態について説明する。図１は、実施の形態としての画像信号処理装置１００の構成を示している。
【００２２】
この処理装置１００は、筐体１０１を有している。筐体１０１には、機能ブロックとしての処理基板を挿入するための複数個の処理基板スロット、本実施の形態においては、処理基板スロット（スロットＡ）１０２ａ、処理基板スロット（スロットＢ）１０２ｂ、処理基板スロット（スロットＣ）１０２ｃおよび処理基板スロット（スロットＤ）１０２ｄが設けられていると共に、アップグレードデータが格納されたアップグレードデータメモリを挿入するための外部メモリスロット１０３が設けられている。
【００２３】
また、筐体１０１の内部には、制御基板１０４、表示器１０５、入力基板１０６、出力基板１０７および共有メモリ１０８が設けられている。制御基板１０４は、制御ブロックを構成しており、装置（システム）全体の動作を制御する。表示器１０５は、例えばＬＣＤ(Liquid Crystal Display)等で構成されており、制御基板１０４の制御のもと、装置の動作状態等を表示する。この表示器１０５は、制御基板１０４に接続されている。なお、上述した外部メモリスロット１０３も、この制御基板１０４に接続されている。
【００２４】
入力基板１０６は、処理すべき画像信号Ｖinを入力１〜入力Ｎのいずれとするかを選択する。出力基板１０７は、処理後の出力画像信号Ｖoutを出力１〜出力Ｍのいずれとするかを選択する。
【００２５】
共有メモリ１０８は、複数の基板で処理系を構成する際に、各基板間の信号経路を構成する。つまり、ある処理系で第１の処理基板の処理結果を第２の処理基板の処理で用いる際には、第１の処理基板の処理結果が共有メモリ１０８に書き込まれ、第２の処理基板では共有メモリ１０８からその処理結果が読み出されて使用される。
【００２６】
図２は、共有メモリ１０８のマッピングを示している。この共有メモリ１０８は、システム入力、スロットＡ出力、スロットＢ出力、スロットＣ出力、スロットＤ出力およびシステム出力の各領域を持っている。システム入力領域は、入力基板１０６からの画像信号Ｖinを書き込む領域である。システム出力領域は、出力基板１０７への画像信号Ｖoutを書き込む領域である。スロットＡ出力領域〜スロットＤ出力領域は、それぞれ、スロットＡ〜スロットＤに挿入された処理基板Ａ〜処理基板Ｄの処理結果を書き込む領域である。
【００２７】
ここで、入力基板１０６は、システム入力領域に、画像信号Ｖinを書き込むことができる。出力基板１０７は、システム出力領域から、画像信号Ｖoutを読み出すことができる。スロットＡに挿入される処理基板Ａは、スロットＡ出力領域またはシステム出力領域に処理結果を書き込むことができ、全ての領域から処理で用いる信号を読み出すことができる。スロットＢ〜スロットＤに挿入される処理基板Ｂ〜処理基板Ｄも、同様に、それぞれスロットＢ出力領域〜スロットＤ出力領域またはシステム出力領域に処理結果を書き込むことができ、全ての領域から処理で用いる信号を読み出すことができる。
【００２８】
制御基板１０４、入力基板１０６および出力基板１０７は、それぞれ、制御バス１０９に接続されている。また、この制御バス１０９には、上述したスロット１０２ａ〜１０２ｄの制御バス用コネクタ部（図示せず）が接続されている。また、共有メモリ１０８には、入力基板１０６および出力基板１０７が接続されている。また、この共有メモリ１０８には、上述したスロット１０２ａ〜１０２ｄの共有メモリ用コネクタ部（図示せず）が接続されている。
【００２９】
制御基板１０４は、リモコン送信機（以下、単に、「リモコン」という）１１０から送られてくる、ユーザのボタン操作に応じたリモコン信号に基づき、制御バス１０９を介して、入力基板１０６、出力基板１０７、およびスロット１０２ａ〜１０２ｄに挿入された各処理基板に、共通コマンド（「放送型コマンド」と呼ぶこともある）としての基板間コマンドを送信する。
【００３０】
スロット１０２ａ〜１０２ｄ（スロットＡ〜Ｄ）に挿入される処理基板として、本実施の形態においては、高画質化処理基板１１１、パネル用処理基板１１２、ノイズ除去処理基板１１３、時間方向高密度化処理基板１１４、統合高画質化処理基板１１５等が使用される。
【００３１】
ここで、処理基板１１１〜１１５の基本となる処理基板１２０について説明する。図３は、処理基板１２０の構成を示している。この処理基板１２０は、処理基板スロットインタフェース部１３０と、インタプリタ部１４０と、信号処理部１５０とからなっている。
【００３２】
インタフェース部１３０は、処理基板スロットの制御バス用コネクタ部を通じて制御バス１０９との間のインタフェースを行うための制御バスインタフェース１３１と、処理基板スロットの共有メモリ用コネクタ部を通じて共有メモリ１０８との間のインタフェースを行うための共有メモリインタフェース１３２とを有している。また、共有メモリインタフェース１３２は、共有メモリ１０８の所定領域から当該処理基板１２０の処理で用いる信号を読み出すための読み出し部１３３と、当該処理基板１２０の処理結果を共有メモリ１０８の所定領域に書き込むための書き込み部１３４とを備えている。
【００３３】
インタプリタ部１４０は、基板間コマンド比較部１４１と、マッチングテーブルメモリ１４２と、制御プログラム読み出し・実行部１４３と、プログラムメモリ１４４と、読み出し先・書き込み先設定部１４５とからなっている。ここで、基板間コマンド比較部１４１、制御プログラム読み出し・実行部１４３および読み出し先・書き込み先設定部１４５は、例えば、ＭＰＵ(Micro Processing Unit)、このＭＰＵの動作プログラム等が記憶されたＲＯＭ(Read Only Memory)、このＭＰＵの作業領域を構成するＲＡＭ（Random Access Memory）で構成される。なお、後述する入力基板１０６のインタプリタ部２３０および出力基板１０７のインタプリタ部３３０についても同様である。
【００３４】
マッチングテーブルメモリ１４２には、共通コマンドである基板間コマンドと、信号処理部１５０を制御するための制御プログラムの情報（例えば、リンクされるプログラムの動作）、信号処理部１５０の処理で用いる信号を読み出す共有メモリ１０８の領域を示す読み出し先情報および信号処理部１５０の処理結果を書き込む共有メモリ１０８の領域を示す書き込み先情報との対応関係を示すテーブルが記憶されている。
【００３５】
基板間コマンド比較部１４１は、インタフェース部１３０の制御バスインタフェース１３１で受信された基板間コマンドに基づいて、マッチングテーブルメモリ１４２から、その基板間コマンドに対応した、制御プログラムの情報、読み出し先情報および書き込み先情報を取得する。
【００３６】
プログラムメモリ１４４には、信号処理部１５０を制御するための種々の制御プログラムが記憶されている。制御プログラム読み出し・実行部１４３は、基板間コマンド比較部１４１で取得された制御プログラム情報に基づき、必要に応じて、プログラムメモリ１４４から適切な制御プログラムを読み出すと共に、その制御プログラムに基づいて信号処理部１５０に基板内コマンドを送り、当該信号処理部１５０の動作を制御する。
【００３７】
読み出し先・書き込み先設定部１４５は、基板間コマンド比較部１４１で取得された読み出し先情報および書き込み先情報に基づき、必要に応じて、共有メモリインタフェース１３２に基板内コマンドを送り、信号処理部１５０の処理で用いる信号を読み出す共有メモリ１０８の領域である読み出し先および信号処理部１５０の処理結果を書き込む共通メモリ１０８の領域である書き込み先を設定する。
【００３８】
なお、基板間コマンド比較部１４１は、インタフェース部１３０の制御バスインタフェース１３１で受信された基板間コマンドに対応した制御プログラムの情報、読み出し先情報および書き込み先情報がマッチングテーブルメモリ１４２に存在しない場合、当該マッチングテーブルメモリ１４２から、基板間コマンド不一致時に対応した制御プログラムの情報、読み出し先情報および書き込み先情報を取得する。
【００３９】
この場合の制御プログラムは、信号処理部１５０に、処理を停止させ、ブランク信号、例えば黒レベル信号を出力させるものである。また、この場合の読み出し先情報は「入力なし」とされ、共有メモリインタフェース１３１の読み出し部１３３で共有メモリ１０８からの信号の読み出しは行われない。また、この場合の書き込み先情報は、当該処理基板が挿入されている処理基板スロットに対応した共有メモリ１０８の領域とされる。
【００４０】
信号処理部１５０は、共有メモリインタフェース１３２の読み出し部１３３で共有メモリ１０８の所定領域から読み出された信号を用いた処理を行う。この信号処理部１５０の処理結果は、共有メモリインタフェース１３２の書き込み部１３４で共有メモリ１０８の所定領域に書き込まれる。ここで、信号処理部１５０で用いられる信号の読み出し先は、共有メモリ１０８の１つの領域である場合の他、例えば後述する統合高画質化処理基板１１５におけるように共有メモリ１０８の複数の領域である場合もある。
【００４１】
高画質化処理基板１１１の信号処理部１５０は、水平、垂直の画素数を増加して高画質化をする処理を行う。この高画質化処理として、例えば、ＤＲＣ(Digital Reality Creation)処理が適用される。ＤＲＣ処理とは、出力画像信号の注目位置の画素データを、その注目位置の周辺に位置する入力画像信号の複数の画素データ、およびその注目位置の位相に対応した、予め学習によって生成された係数データを用い、推定式に基づいて求める処理である（特開２００１−２３８１８５号参照）。ユーザは、この高画質化処理において、解像度パラメータ値、ノイズパラメータ値を調整することで、出力画像信号の解像度、ノイズ除去度を調整できる。この場合、推定式の係数データとして、解像度パラメータ値、ノイズパラメータ値に対応した係数データが使用されることとなる。
【００４２】
パネル用処理基板１１２の信号処理部１５０は、ＬＣＤ(Liquid Crystal Display)やＰＤＰ(Plasma Display Panel)等のフラットパネルディスプレイに画像を表示する際に必要となる処理、例えば輝度調整、色調整、水平、垂直の画素数変換、インタレース方式からプログレッシブ方式への方式変換等の処理を行う。ユーザはパネルの種類を指定できる。
【００４３】
ノイズ除去処理基板１１３の信号処理部１５０は、ＭＰＥＧ(Moving Picture Experts Group)の符号化、復号化を経たことによって発生したブロック歪み、モスキートノイズ等のＭＰＥＧ歪みを低減する処理を行う。ユーザは、このノイズ除去処理において、ノイズ除去強度パラメータ値を調整することで、ノイズ除去強度を調整できる。
【００４４】
時間方向高密度化処理基板１１４の信号処理部１５０は、入力画像信号の各フレームで画素毎に動きベクトルを検出し、この検出された動きベクトルを用いてフレーム間の任意の位置の画素を生成して、フレーム数を増加した出力画像信号を得る処理を行う（特開２００２−１９９３４９参照）。ユーザは、この時間方向高密度化処理において、単位時間当たりのフレーム数を調整できる。
【００４５】
統合高画質化処理基板１１５の信号処理部１５０は、各フレームで画素毎に検出されている動きベクトルデータを用い、動きベクトルが大きいとき画像信号の高域を強調することで、画像のエッジがくっきりとなるようにし、残像感を軽減する処理を行う。ユーザは、この統合高画質化処理において、統合高画質化パラメータ値を調整することで、動きベクトルが大きいときの残像感の軽減度を調整できる。なお、この統合高画質化処理基板１１５の信号処理部１５０は、上述したパネル用処理基板１１２の信号処理部１５０と同様の処理機能も併せ持っている。
【００４６】
この統合高画質化処理基板１１５では、信号処理部１５０で用いられる信号は、画像信号の他に、動きベクトルデータである。図４は、統合高画質化処理基板１１５の構成を示している。信号処理部１５０は、キャッシュメモリコントローラ１５１と、キャッシュメモリ１５２と、統合高画質化処理部１５３とからなっている。
【００４７】
この場合、共有メモリ１０８の異なる領域から順次読み出された画像信号および動きベクトルデータは、キャッシュメモリコントローラ１５１の制御でキャッシュメモリ１５２の異なる領域に蓄積される。そして、統合高画質化処理部１５３では、キャッシュメモリ１５２に蓄積された画像信号および動きベクトルデータを用いて、上述したような残像感を軽減する処理を行うと共に、パネル用処理を行う。
【００４８】
図３に示す処理基板１２０の動作を説明する。
【００４９】
まず、図５のフローチャートを用いて、インタプリタ部１４０の動作を説明する。
ステップＳＴ１で、電源オンに対応して処理を開始し、ステップＳＴ２で、基板間コマンド比較部１４１は、制御バスインタフェース１３１で制御基板１０４（図１参照）からの基板間コマンドが受信されたか否かを判定する。基板間コマンドが受信されたときは、ステップＳＴ３で、基板間コマンド比較部１４１は、その受信された基板間コマンドに対応した情報（制御プログラムの情報、読み出し先情報および書き込み先情報）がマッチングテーブルメモリ１４２に存在するか否かを判定する。
【００５０】
受信された基板間コマンドに対応した情報がマッチングテーブルメモリ１４２に存在するときは、ステップＳＴ４に進む。このステップＳＴ４では、基板間コマンド比較部１４１は、マッチングテーブルメモリ１４２から受信された基板間コマンドに対応した読み出し先情報および書き込み先情報を取得し、この読み出し先情報および書き込み先情報を読み出し先・書き込み先設定部１４５に供給する。
【００５１】
読み出し先・書き込み先設定部１４５は、基板間コマンド比較部１４１から供給される読み出し先情報および書き込み先情報に基づいて、共有メモリインタフェース１３２に基板内コマンドを送り、信号処理部１５０の処理で用いる信号を読み出す共有メモリ１０８の領域である読み出し先および信号処理部１５０の処理結果を書き込む共通メモリ１０８の領域である書き込み先を設定する。
【００５２】
なお、読み出し先情報、書き込み先情報が、後述するように、「変更しない」であるときは、上述した読み出し先、書き込み先の設定は行われない。この場合、共有メモリインタフェース１３２における読み出し先、書き込み先は、前回に設定されたままに維持される。
【００５３】
次に、ステップＳＴ５で、基板間コマンド比較部１４１は、マッチングテーブルメモリ１４２から受信された基板間コマンドに対応した制御プログラム情報を取得し、この制御プログラム情報を制御プログラム読み出し・実行部１４３に供給する。制御プログラム読み出し・実行部１４３は、基板間コマンド比較部１４１から供給される制御プログラム情報に基づいてプログラムメモリ１４４から制御プログラムを読み出し、この制御プログラムに基づいて信号処理部１５０に基板内コマンドを送り、当該信号処理部１５０の動作を制御する。
【００５４】
なお、制御プログラム情報が、後述するように、「現状維持」であるときは、上述した制御プログラムに基づいて信号処理部１５０の動作制御は行われない。この場合、信号処理部１５０における動作は、前回に制御されたままに維持される。
【００５５】
上述したステップＳＴ５における処理が終了した後に、ステップＳＴ２に戻る。
【００５６】
また、上述のステップＳＴ３で、受信された基板間コマンドに対応した情報がマッチングテーブルメモリ１４２に存在しないときは、ステップＳＴ６に進む。このステップＳＴ６では、基板間コマンド比較部１４１は、マッチングテーブルメモリ１４２から、基板間コマンド不一致時に対応した読み出し先情報および書き込み先情報を取得し、この読み出し先情報および書き込み先情報を読み出し先・書き込み先設定部１４５に供給する。
【００５７】
読み出し先・書き込み先設定部１４５は、基板間コマンド比較部１４１から供給される読み出し先情報および書き込み先情報に基づいて、共有メモリインタフェース１３２における読み出し先および書き込み先を設定する。この場合、読み出し先情報は「入力なし」であり、共有メモリインタフェース１３２の読み出し部１３３は共有メモリ１０８から信号の読み出しを行わない状態とされる。また、書き込み先情報は当該処理基板が挿入されている処理基板スロットに対応した共有メモリ１０８の領域であり、共有メモリインタフェース１３２における書き込み先は当該領域に設定される。
【００５８】
次に、ステップＳＴ７で、基板間コマンド比較部１４１は、マッチングテーブルメモリ１４２から、基板間コマンド不一致時に対応した制御プログラム情報を取得し、この制御プログラム情報を制御プログラム読み出し・実行部１４３に供給する。制御プログラム読み出し・実行部１４３は、基板間コマンド比較部１４１から供給された制御プログラム情報に基づいてプログラムメモリ１４４から制御プログラムを読み出し、この制御プログラムに基づいて信号処理部１５０に基板内コマンドを送り、当該信号処理部１５０の動作を制御する。この場合の制御プログラムは、処理を停止させ、ブランク信号を出力させるものであり、信号処理部１５０の処理は停止され、ブランク信号が出力される状態となる。
【００５９】
上述したステップＳＴ７における処理が終了した後に、ステップＳＴ２に戻る。
【００６０】
上述したように、制御バスインタフェース１３１で制御基板１０４からの基板間コマンドが受信されたとき、必要に応じて、インタプリタ部１４０により、共有メモリインタフェース１３２における読み出し先および書き込み先が設定されると共に、信号処理部１５０の動作が制御される。
【００６１】
共有メモリインタフェース１３２の読み出し部１３３で共有メモリ１０８の読み出し先領域から読み出された信号（画像信号等）は信号処理部１５０に供給される。そして、信号処理部１５０では、この信号が用いられた処理（高画質化処理、パネル用処理、ノイズ除去処理、時間方向高密度化処理、統合高画質化処理など）が行われる。
【００６２】
また、信号処理部１５０から出力される処理結果は、共有メモリインタフェース１３２の書き込み部１３４で共有メモリ１０８の書き込み先領域に書き込まれる。
【００６３】
次に、入力基板１０６について説明する。図６は、入力基板１０６の構成を示している。この入力基板１０６は、制御バスインタフェース２１０と、共有メモリインタフェース２２０と、インタプリタ部２３０と、画像信号入力インタフェース２４０とからなっている。
【００６４】
制御バスインタフェース２１０は、制御バス１０９との間のインタフェースを行う。共有メモリインタフェース２２０は、共有メモリ１０８との間のインタフェースを行う。この共有メモリインタフェース２２０は、入力インタフェース２４０で選択された処理すべき画像信号Ｖinを、共有メモリ１０８のシステム入力領域に書き込むための書き込み部２２１を備えている。
【００６５】
インタプリタ部２３０は、基板間コマンド比較部２３１と、マッチングテーブルメモリ２３２と、制御プログラム読み出し・実行部２３３と、プログラムメモリ２３４とからなっている。マッチングテーブルメモリ２３２には、共通コマンドである基板間コマンドと、入力インタフェース２４０を制御するための制御プログラムの情報との対応関係を示すテーブルが記憶されている。基板間コマンド比較部２３１は、制御バスインタフェース２１０で受信された基板間コマンドに基づいて、マッチングテーブルメモリ２３２から、その基板間コマンドに対応した、制御プログラムの情報を取得する。
【００６６】
プログラムメモリ２３４には、入力インタフェース２４０を制御するための制御プログラムが記憶されている。制御プログラム読み出し・実行部２３３は、基板間コマンド比較部２３１で取得された制御プログラム情報に基づき、必要に応じて、プログラムメモリ２３４から適切な制御プログラムを読み出すと共に、その制御プログラムに基づいて入力インタフェース２４０に基板内コマンドを送り、当該入力インタフェース２４０の選択動作を制御する。
【００６７】
なお、基板間コマンド比較部２３１は、制御バスインタフェース２１０で受信された基板間コマンドに対応した制御プログラムの情報がマッチングテーブルメモリ２３２に存在しない場合、当該マッチングテーブルメモリ２３２から、基板間コマンド不一致時に対応した制御プログラムの情報を取得する。この場合の制御プログラム情報は「現状維持」であり、上述した入力インタフェース２４０の選択動作の制御は行われない。
【００６８】
入力インタフェース２４０は、上述したインタプリタ部２３０からの基板内コマンドに基づいて、入力１〜入力Ｎから処理すべき画像信号Ｖinを選択する。
【００６９】
図６に示す入力基板１０６の動作を説明する。
制御バスインタフェース２１０で、制御基板１０４（図１参照）からの基板間コマンドが受信されるとき、インタプリタ部２３０の基板間コマンド比較部２３１は、その受信された基板間コマンドに対応した制御プログラム情報がマッチングテーブルメモリ２３２に存在するか否かを判定する。
【００７０】
受信された基板間コマンドに対応した制御プログラム情報がマッチングテーブルメモリ２３２に存在するとき、基板間コマンド比較部２３１は、その制御プログラム情報をマッチングテーブルメモリ２３２から取得し、制御プログラム読み出し・実行部２３３に供給する。
【００７１】
制御プログラム読み出し・実行部２３３は、基板間コマンド比較部２３１から供給される制御プログラム情報に基づいてプログラムメモリ２３４から制御プログラムを読み出し、この制御プログラムに基づいて入力インタフェース２４０に基板内コマンドを送り、当該入力インタフェース２４０における選択動作を制御する。
【００７２】
なお、受信された基板間コマンドに対応した制御プログラム情報がマッチングテーブルメモリ２３２に存在しないとき、基板間コマンド比較部２３１はマッチングテーブルメモリ２３２から基板間コマンド不一致時に対応した制御プログラム情報「現状維持」を取得し、制御プログラム読み出し・実行部２３３に供給する。このときは、上述したような制御プログラムに基づく入力インタフェース２４０の制御は行われず、当該入力インタフェース２４０における選択状態は、前回制御されたままに維持される。
【００７３】
上述したように、制御バスインタフェース２１０で制御基板１０４からの基板間コマンドが受信されたとき、インタプリタ部２３０により、必要に応じて、画像信号入力インタフェース２４０の選択動作が制御される。
【００７４】
入力インタフェース２４０で入力１〜入力Ｎから選択された処理すべき画像信号Ｖinは、共有メモリインタフェース２２０の書き込み部２２１により、共有メモリ１０８のシステム入力領域に書き込まれる。
【００７５】
次に、出力基板１０７について説明する。図７は、出力基板１０７の構成を示している。この出力基板１０７は、制御バスインタフェース３１０と、共有メモリインタフェース３２０と、インタプリタ部３３０と、画像信号出力インタフェース３４０とからなっている。
【００７６】
制御バスインタフェース３１０は、制御バス１０９との間のインタフェースを行う。共有メモリインタフェース３２０は、共有メモリ１０８との間のインタフェースを行う。この共有メモリインタフェース３２０は、共有メモリ１０８のシステム出力領域に書き込まれている画像信号Ｖoutを読み出すための読み出し部３２１を備えている。
【００７７】
インタプリタ部３３０は、基板間コマンド比較部３３１と、マッチングテーブルメモリ３３２と、制御プログラム読み出し・実行部３３３と、プログラムメモリ３３４とからなっている。マッチングテーブルメモリ３３２には、共通コマンドである基板間コマンドと、出力インタフェース３４０を制御するための制御プログラムの情報との対応関係を示すテーブルが記憶されている。基板間コマンド比較部３３１は、制御バスインタフェース３１０で受信された基板間コマンドに基づいて、マッチングテーブルメモリ３３２から、その基板間コマンドに対応した、制御プログラムの情報を取得する。
【００７８】
プログラムメモリ３３４には、出力インタフェース３４０を制御するための制御プログラムが記憶されている。制御プログラム読み出し・実行部３３３は、基板間コマンド比較部３３１で取得された制御プログラム情報に基づき、必要に応じて、プログラムメモリ３３４から適切な制御プログラムを読み出すと共に、その制御プログラムに基づいて出力インタフェース３４０に基板内コマンドを送り、当該出力インタフェース３４０の選択動作を制御する。
【００７９】
なお、基板間コマンド比較部３３１は、制御バスインタフェース３１０で受信された基板間コマンドに対応した制御プログラムの情報がマッチングテーブルメモリ３３２に存在しない場合、当該マッチングテーブルメモリ３３２から、基板間コマンド不一致時に対応した制御プログラムの情報を取得する。この場合の制御プログラム情報は「現状維持」であり、上述した出力インタフェース３４０の選択動作の制御は行われない。
【００８０】
出力インタフェース３４０は、上述したインタプリタ部３３０からの基板内コマンドに基づいて、共有メモリインタフェース３２０からの処理後の画像信号Ｖoutを、出力１〜出力Ｍのいずれとして出力するかを選択する。
【００８１】
図７に示す出力基板１０７の動作を説明する。
制御バスインタフェース３１０で、制御基板１０４（図１参照）からの基板間コマンドが受信されるとき、インタプリタ部３３０の基板間コマンド比較部３３１は、その受信された基板間コマンドに対応した制御プログラム情報がマッチングテーブルメモリ３３２に存在するか否かを判定する。
【００８２】
受信された基板間コマンドに対応した制御プログラム情報がマッチングテーブルメモリ３３２に存在するとき、基板間コマンド比較部３３１は、その制御プログラム情報をマッチングテーブルメモリ３３２から取得し、制御プログラム読み出し・実行部３３３に供給する。
【００８３】
制御プログラム読み出し・実行部３３３は、基板間コマンド比較部３３１から供給される制御プログラム情報に基づいてプログラムメモリ３３４から制御プログラムを読み出し、この制御プログラムに基づいて出力インタフェース３４０に基板内コマンドを送り、当該出力インタフェース３４０における選択動作を制御する。
【００８４】
なお、受信された基板間コマンドに対応した制御プログラム情報がマッチングテーブルメモリ３３２に存在しないとき、基板間コマンド比較部３３１はマッチングテーブルメモリ３３２から基板間コマンド不一致時に対応した制御プログラム情報「現状維持」を取得し、制御プログラム読み出し・実行部３３３に供給する。このときは、上述したような制御プログラムに基づく出力インタフェース３４０の制御は行われず、当該出力インタフェース３４０における選択状態は、前回制御されたままに維持される。
【００８５】
上述したように、制御バスインタフェース３１０で制御基板１０４からの基板間コマンドが受信されたとき、インタプリタ部３３０により、必要に応じて、出力インタフェース３４０の選択動作が制御される。
【００８６】
共有メモリインタフェース３２０の読み出し部３２１では共有メモリ１０８のシステム出力領域から処理後の画像信号Ｖoutが読み出され、この画像信号Ｖoutは出力インタフェース３４０に入力される。出力インタフェース３４０では、入力された画像信号Ｖoutが、出力１〜出力Ｍのうち選択された出力として出力される。
【００８７】
次に、制御基板１０４について説明する。図８は、制御基板１０４の構成を示している。この制御基板１０４は、マイクロコントローラ１２１と、プログラムメモリ１２２と、設定情報・接続情報保存用の不揮発性メモリ１２３と、リモコンインタフェース１２４と、制御バスインタフェース１２５と、アップグレードデータ読み出し部１２６とを有している。
【００８８】
マイクロコントローラ１２１は、ＭＰＵ(Micro Processing Unit)と、ＭＰＵの作業領域を構成するＲＡＭ（Random Access Memory）とを有している。なお、このＭＰＵの制御プログラム等はプログラムメモリ１２２に格納されている。不揮発性メモリ１２３は、電源オフ時に、スロット１０２ａ〜１０２ｄに対する処理基板の接続情報、およびその電源オフ時における設定情報を記憶しておくメモリである。
【００８９】
リモコンインタフェース１２４は、赤外線信号の受信部を備え、リモコン送信機１１０とマイクロコントローラ１２１との間のインタフェースを行う。制御バスインタフェース１２５は、制御バス１０９とマイクロコントローラ１２１との間のインタフェースを行う。
【００９０】
また、アップグレードデータ読み出し部１２６は、処理基板が追加されたアップグレード時に、外部メモリスロット１０３に挿入されたアップグレードデータメモリ（図示せず）からアップグレードデータを読み出し、マイクロコントローラ１２１に供給する。このアップグレードデータには、プログラムメモリ１２２のアップグレードデータ、各処理基板のインタプリタ部１４０内のマッチングテーブルメモリ１４２およびプログラムメモリ１４４のアップグレードデータが含まれている。マイクロコントローラ１２１は、このように読み出し部１２６で読み出されたアップグレードデータを、プログラムメモリ１２２、各処理基板のインタプリタ部１４０内のマッチングテーブルメモリ１４２およびプログラムメモリ１４４に書き込む。
【００９１】
ここで、制御基板１０４の機能についてさらに説明する。図９は、制御基板１０４の機能ブロックを示している。制御基板１０４は、スタートアップ処理部４０１と、アップグレード処理部４０２と、システム制御部４０３と、システム終了処理部４０４とを有している。
【００９２】
スタートアップ処理部４０１は、電源オンで処理を開始し、まず処理基板スロット１０２ａ〜１０２ｄに対する処理基板の接続変更があるか否かを判定する。この場合、スタートアップ処理部４０１は、制御バス１０９を通じて、処理基板スロット１０２ａ〜１０２ｄの一部または全部に挿入されている処理基板の識別子である基板種別ＩＤを得ることで、処理基板スロット１０２ａ〜１０２ｄに対する現在の処理基板の接続情報を取得する。
【００９３】
図１０は、基板種別ＩＤと処理基板との対応関係を示している。例えば、高画質化処理基板１１１の基板種別ＩＤは「１０３」とされ、ノイズ除去処理基板１１３の基板種別ＩＤは「１０４」とされ、時間方向高密度化処理基板１１４の基板種別ＩＤは「１０５」とされ、パネル用処理基板１１２の基板種別ＩＤは「１０６」とされ、統合高画質化処理基板１１５の基板種別ＩＤは「１０７」とされている。また、処理基板スロット１０２ａ〜１０２ｄに対する現在の処理基板の接続情報を取得する関係から、便宜上、「接続なし」にも、基板種別ＩＤとして「１００」を割り当てている。
【００９４】
なお、この基板種別ＩＤは、その一意性から、後述するように、処理基板１２０（処理基板１１１〜１１５）のインタプリタ部１４０（図３参照）のマッチングテーブルメモリ１４２に書き込まれるアップグレードデータの読み出し先情報、書き込み先情報を示すことにも用いられる。そのため、共有メモリ１０８のシステム入力領域、システム出力領域を示すために、入力基板１０６、出力基板１０７にも、基板種別ＩＤを割り当てている。例えば、入力基板１０６の基板種別ＩＤは「１０１」とされ、出力基板１０７の基板種別ＩＤは「１０２」とされている。また、アップグレードデータの読み出し先情報、書き込み先情報に必要な「入出力先変更なし」、「スロット出力領域」を意味する基板種別ＩＤも用意されている。例えば、「入出力先変更なし」の基板種別ＩＤは「０００」とされ、「スロット出力領域」の基板種別ＩＤは「００１」とされている。
【００９５】
スタートアップ処理部４０１は、上述したように取得された現在の処理基板の接続情報と、設定情報・接続情報保存用の不揮発性メモリ１２３に記憶されている電源オフ時の処理基板の接続情報とを比較して、接続変更があるか否かを判定する。
【００９６】
スタートアップ処理部４０１は、接続変更がないときは、不揮発性メモリ１２３に記憶されている設定情報に基づいて、各基板に、制御バス１０９を通じて、初期設定のための基板間コマンド（初期設定コマンド）を送信し、例えば入力基板１０６および出力基板１０７の選択状態およびステートを、電源オフ時の状態に設定し、その後にシステム制御部４０３の処理に移行させる。
【００９７】
ここで、ステートとは、処理基板スロット１０２ａ〜１０２ｄに挿入されている一つまたは複数の処理基板で構成し得る処理系の状態を示している。
【００９８】
高画質化処理基板１１１のみが挿入されている場合（アップグレードステージ１）には、この高画質化処理基板１１１のみで高画質化ステートの処理系が構成される。図１１は、このアップグレードステージ１の基板挿入例を示しており、処理基板スロット１０２ａ（スロットＡ）に高画質化処理基板１１１が挿入されている。図１２は、その場合における処理基板の接続情報例を示している。
【００９９】
また、高画質化処理基板１１１およびノイズ除去処理基板１１３が挿入されている場合（アップグレードステージ２ａ）には、高画質化処理基板１１１のみで高画質化ステートの処理系が構成され、高画質化処理基板１１１およびノイズ除去処理基板１１３でノイズ除去ステートの処理系が構成される。図１３は、このアップグレードステージ２ａの基板挿入例を示しており、処理基板スロット１０２ａ（スロットＡ）に高画質化処理基板１１１が挿入され、処理基板スロット１０２ｃ（スロットＣ）にノイズ除去処理基板１１３が挿入されている。図１４は、その場合における処理基板の接続情報例を示している。
【０１００】
また、高画質化処理基板１１１および時間方向高密度化処理基板１１４が挿入されている場合（アップグレードステージ２ｂ）、高画質化処理基板１１１のみで高画質化ステートの処理系が構成され、高画質化処理基板１１１および時間方向高密度化処理基板１１４で時間方向高密度化ステートの処理系が構成される。図１５は、このアップグレードステージ２ｂの基板挿入例を示しており、処理基板スロット１０２ａ（スロットＡ）に高画質化処理基板１１１が挿入され、処理基板スロット１０２ｄ（スロットＤ）に時間方向高密度化処理基板１１４が挿入されている。図１６は、その場合における処理基板の接続情報例を示している。
【０１０１】
また、高画質化処理基板１１１、ノイズ除去処理基板１１３および時間方向高密度化処理基板１１４が挿入されている場合（アップグレードステージ３）には、高画質化処理基板１１１のみで高画質化ステートの処理系が構成され、高画質化処理基板１１１およびノイズ除去処理基板１１３でノイズ除去ステートの処理系が構成され、高画質化処理基板１１１、ノイズ除去処理基板１１３および時間方向高密度化処理基板１１４で時間方向高密度化ステートの処理系が構成される。
【０１０２】
図１７は、このアップグレードステージ３の基板挿入例を示しており、処理基板スロット１０２ａ（スロットＡ）に高画質化処理基板１１１が挿入され、処理基板スロット１０２ｃ（スロットＣ）にノイズ除去処理基板１１３が挿入され、処理基板スロット１０２ｄ（スロットＤ）に時間方向高密度化処理基板１１４が挿入されている。図１８は、その場合における処理基板の接続情報例を示している。
【０１０３】
また、高画質化処理基板１１１、パネル用処理基板１１２、ノイズ除去処理基板１１３および時間方向高密度化処理基板１１４が挿入されている場合（アップグレードステージ４）には、高画質化処理基板１１１およびパネル用処理基板１１２で高画質化ステートの処理系が構成され、高画質化処理基板１１１、パネル用処理基板１１２およびノイズ除去処理基板１１３でノイズ除去ステートの処理系が構成され、高画質化処理基板１１１、パネル用処理基板１１２、ノイズ除去処理基板１１３および時間方向高密度化処理基板１１４で時間方向高密度化ステートの処理系が構成される。
【０１０４】
図１９は、このアップグレードステージ４の基板挿入例を示しており、処理基板スロット１０２ａ（スロットＡ）に高画質化処理基板１１１が挿入され、処理基板スロット１０２ｂ（スロットＢ）にパネル用処理基板１１２が挿入され、処理基板スロット１０２ｃ（スロットＣ）にノイズ除去処理基板１１３が挿入され、処理基板スロット１０２ｄ（スロットＤ）に時間方向高密度化処理基板１１４が挿入されている。図２０は、その場合における処理基板の接続情報例を示している。
【０１０５】
また、高画質化処理基板１１１、ノイズ除去処理基板１１３、時間方向高密度化処理基板１１４および統合高画質化処理基板１１５が挿入されている場合（アップグレードステージ５）には、高画質化処理基板１１１および統合高画質化処理基板１１５で高画質化ステートの処理系が構成され、高画質化処理基板１１１、統合高画質化処理基板１１５およびノイズ除去処理基板１１３でノイズ除去ステートの処理系が構成され、高画質化処理基板１１１、統合高画質化処理基板１１５、ノイズ除去処理基板１１３および時間方向高密度化処理基板１１４で時間方向高画質化ステートの処理系が構成され、さらに高画質化処理基板１１１、ノイズ除去処理基板１１３、時間方向高密度化処理基板１１４および統合高画質化処理基板１１５で統合高画質化ステートの処理系が構成される。
【０１０６】
図２１は、このアップグレードステージ５の基板挿入例を示しており、処理基板スロット１０２ａ（スロットＡ）に高画質化処理基板１１１が挿入され、処理基板スロット１０２ｂ（スロットＢ）に統合高画質化処理基板１１５が挿入され、処理基板スロット１０２ｃ（スロットＣ）にノイズ除去処理基板１１３が挿入され、処理基板スロット１０２ｄ（スロットＤ）に時間方向高密度化処理基板１１４が挿入されている。図２２は、その場合における処理基板の接続情報例を示している。
【０１０７】
また、図９に戻って、スタートアップ処理部４０１は、接続変更があるときは、アップグレード準備が完了しているか否かを判定する。この場合、スタートアップ処理部４０１は、外部メモリスロット１０３に、処理基板の接続変更に伴うアップグレードデータを記憶したアップグレードデータメモリ（図示せず）が挿入されているか否かを検出することで、アップグレード準備が完了しているか否かを判定する。
【０１０８】
外部メモリスロット１０３にアップグレードデータメモリが挿入されており、アップグレード準備が完了しているときは、アップグレード処理部４０２の処理に移行させる。また、外部メモリスロット１０３にアップグレードデータメモリが挿入されておらず、アップグレード準備が完了していないときは、システム終了処理部４０４の処理に移行させる。
【０１０９】
アップグレード処理部４０２は、制御基板１０４、処理基板スロット１０２ａ〜１０２ｄに挿入されている各処理基板のアップグレード処理をする。この場合、アップグレード処理部４０２は、外部メモリスロット１０３に挿入されているアップグレードデータメモリから、制御基板１０４内のプログラムメモリ１２２に書き込むべきアップグレードデータを取得し、このアップグレードデータを当該プログラムメモリ１２２に書き込む。また、アップグレード処理部４０２は、アップグレードデータメモリから、各処理基板のインタプリタ部１４０内のマッチングテーブルメモリ１４２およびプログラムメモリ１４４に書き込むべきアップグレードデータを取得し、このアップグレードデータを当該マッチングテーブルメモリ１４２およびプログラムメモリ１４４に書き込む。そして、アップグレード処理部４０２は、制御基板１０４および各処理基板のアップグレード処理をした後、システム制御部４０３の処理に移行させる。
【０１１０】
ここで、上述したアップグレードステージ１の場合（図１１参照）、高画質化処理基板１１１のインタプリタ部１４０内のマッチングテーブルメモリ１４２およびプログラムメモリ１４４には、図２３に示すようなデータが記憶されている。すなわち、マッチングテーブルメモリ１４２には、全ステート共通コマンドおよび高画質化ステートコマンドの各コマンドと、読み出し先情報、書き込み先情報および制御プログラム情報（リンクされるプログラムの動作）との対応関係を示すテーブルが記憶されている。
【０１１１】
ここで、SYS_INPUT(val)は入力基板１０６で選択する入力先を指定するコマンドであり、読み出し先情報としては「変更しない」が対応し、書き込み先情報としては「変更しない」が対応し、リンクされるプログラムの動作としては「入力フォーマット変更」が対応している。SYS_OUTPUT(val)は出力基板１０７で選択する出力先を指定するコマンドであって、読み出し先情報としては「変更しない」が対応し、書き込み先情報としては「変更しない」が対応し、リンクされるプログラムの動作としては「出力フォーマット変更」が対応している。
【０１１２】
また、MF_VOL_X(val)は解像度パラメータ値を指定するコマンドであり、読み出し先情報としては「システム入力」が対応し、書き込み先情報としては「システム出力」が対応し、リンクされるプログラムの動作としては「解像度パラメータ変更」が対応している。MF_VOL_Y(val)はノイズパラメータ値を指定するコマンドであり、読み出し先情報としては「システム入力」が対応し、書き込み先情報としては「システム出力」が対応し、リンクされるプログラムの動作としては「ノイズパラメータ変更」が対応している。
【０１１３】
また、マッチングテーブルメモリ１４２には、基板間コマンド不一致時における、読み出し先情報、書き込み先情報および制御プログラム情報（リンクされるプログラムの動作）が記憶されている。この場合、読み出し先情報は「入力なし」とされ、書き込み先情報は「スロットＡ出力」とされ、リンクされるプログラムの動作は「処理停止、ブランク信号出力」とされている。
【０１１４】
なお、図２３の例は、処理基板スロット１０２ａ、つまりスロットＡに高画質化処理基板１１１が挿入されている場合（図１１参照）に対応しており、書き込み先情報が「スロットＡ出力」となっている。しかし、一般的には、書き込み先情報は、この高画質化処理基板１１１が挿入された処理基板スロットに割り当てられている共有メモリ領域を示すことになる。
【０１１５】
また、プログラムメモリ１４４には、上述した「リンクされるプログラムの動作」をそれぞれ実行するための制御プログラムが記憶されている。
【０１１６】
また、上述したアップグレードステージ１の場合（図１１参照）、制御基板１０４のプログラムメモリ１２２には、このアップグレードステージ１でユーザが操作するリモコン１１０のボタンと基板間コマンドとの対応関係を示すテーブル、および図２４に示す、高画質化ステートで発生し得る基板間コマンドとステート遷移との関係であるステート遷移情報（ステート遷移図）が記憶されている。
【０１１７】
この場合、上述したスタートアップ処理部４０１の処理（スタートアップルーチン）でMF_VOL_X(val)またはMF_VOL_Y(val)の初期設定コマンドが発生されることで、高画質化ステートとなる。この高画質化ステートでは、MF_VOL_X(val)、MF_VOL_Y(val)、SYS_INPUT(val)、SYS_OUTPUT(val)の基板間コマンドを発生できるが、SYS_OUTPUT(0)の基板間コマンドが発生されることで、システム終了処理部４０４の処理（システム終了ルーチン）に移行する。
【０１１８】
また、上述したアップグレードステージ２ａの場合（図１３参照）、高画質化処理基板１１１のインタプリタ部１４０内のマッチングテーブルメモリ１４２およびプログラムメモリ１４４には、図２５に示すようなデータが記憶されている。
【０１１９】
すなわち、マッチングテーブルメモリ１４２には、全ステート共通コマンド、高画質化ステートコマンドおよびノイズ除去ステートコマンドの各コマンドと、読み出し先情報、書き込み先情報および制御プログラム情報（リンクされるプログラムの動作）との対応関係を示すテーブルが記憶されている。
【０１２０】
この場合、上述したアップグレードステージ１における記憶内容と比較すると、ノイズ除去ステートコマンドの部分が増加した状態となっている。ここで、MPEG_NR(val)はノイズ除去強度パラメータ値を指定するコマンドであり、読み出し先情報としては「スロットＣ出力」が対応し、書き込み先情報としては「システム出力」が対応し、リンクされるプログラムの動作としては、「valに適した解像度・ノイズパラメータに変更」が対応している。
【０１２１】
なお、図２５の例は、処理基板スロット１０２ｃ、つまりスロットＣにノイズ除去処理基板１１３が挿入されている場合（図１３参照）に対応しており、読み出し先情報が「スロットＣ出力」となっている。しかし、一般的には、読み出し先情報は、このノイズ除去処理基板１１３が挿入された処理基板スロットに割り当てられている共有メモリ領域を示すことになる。
【０１２２】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ１における記憶内容と同じである。
【０１２３】
また、プログラムメモリ１４４には、上述した「リンクされるプログラムの動作」をそれぞれ実行するための制御プログラムが記憶されている。
【０１２４】
また、上述したアップグレードステージ２ａの場合（図１３参照）、ノイズ除去処理基板１１３のインタプリタ部１４０内のマッチングテーブルメモリ１４２およびプログラムメモリ１４４には、図２６に示すようなデータが記憶されている。
【０１２５】
すなわち、マッチングテーブルメモリ１４２には、全ステート共通コマンドおよびノイズ除去ステートコマンドの各コマンドと、読み出し先情報、書き込み先情報および制御プログラム情報（リンクされるプログラムの動作）との対応関係を示すテーブルが記憶されている。
【０１２６】
ここで、SYS_INPUT(val)は入力基板１０６で選択する入力先を指定するコマンドであり、読み出し先情報としては「変更しない」が対応し、書き込み先情報としては「変更しない」が対応し、リンクされるプログラムの動作としては「現状維持」が対応している。SYS_OUTPUT(val)は出力基板１０７で選択する出力先を指定するコマンドであって、読み出し先情報としては「変更しない」が対応し、書き込み先情報としては「変更しない」が対応し、リンクされるプログラムの動作としては「現状維持」が対応している。
【０１２７】
また、MPEG_NR(val)はノイズ除去強度パラメータ値を指定するコマンドであり、読み出し先情報としては「システム入力」が対応し、書き込み先情報としては「スロットＣ出力」が対応し、リンクされるプログラムの動作としては、「valに応じてレジスタ値を設定する」が対応している。
【０１２８】
また、マッチングテーブルメモリ１４２には、基板間コマンド不一致時における、読み出し先情報、書き込み先情報および制御プログラム情報（リンクされるプログラムの動作）が記憶されている。この場合、読み出し先情報は「入力なし」とされ、書き込み先情報は「スロットＣ出力」とされ、リンクされるプログラムの動作は「処理停止、ブランク信号出力」とされている。
【０１２９】
なお、図２６の例は、処理基板スロット１０２ｃ、つまりスロットＣにノイズ除去処理基板１１３が挿入されている場合（図１３参照）に対応しており、書き込み先情報が「スロットＣ出力」となっている。しかし、一般的には、書き込み先情報は、このノイズ除去処理基板１１３が挿入された処理基板スロットに割り当てられている共有メモリ領域を示すことになる。
【０１３０】
また、プログラムメモリ１４４には、上述した「リンクされるプログラムの動作」をそれぞれ実行するための制御プログラムが記憶されている。
【０１３１】
また、上述したアップグレードステージ２ａの場合（図１３参照）、制御基板１０４のプログラムメモリ１２２には、このアップグレードステージ２ａの各ステートでユーザが操作するリモコン１１０のボタンと基板間コマンドとの対応関係を示すテーブル、および図２７に示す、各ステートで発生し得る基板間コマンドとステート遷移との関係であるステート遷移情報（ステート遷移図）が記憶されている。
【０１３２】
この場合、上述したスタートアップ処理部４０１の処理（スタートアップルーチン）でMF_VOL_X(val)またはMF_VOL_Y(val)の初期設定コマンドが発生されることで、高画質化ステートとなる。また、上述したスタートアップ処理部４０１の処理（スタートアップルーチン）でMPEG_NR(val)の初期設定コマンドが発生されることで、ノイズ除去ステートとなる。
【０１３３】
高画質化ステートでは、MF_VOL_X(val)、MF_VOL_Y(val)、SYS_INPUT(val)、SYS_OUTPUT(val)、MPEG_NR(val)の基板間コマンドを発生できる。この場合、MPEG_NR(val)の基板間コマンドが発生されることで、ノイズ除去ステートに移行する。また、SYS_OUTPUT(0)の基板間コマンドが発生されることで、システム終了処理部４０４の処理（システム終了ルーチン）に移行する。
【０１３４】
同様に、ノイズ除去ステートでは、MPEG_NR(val)、SYS_INPUT(val)、SYS_OUTPUT(val)、MF_VOL_X(val)、MF_VOL_Y(val)の基板間コマンドを発生できる。この場合、MF_VOL_X(val)またはMF_VOL_Y(val)の基板間コマンドが発生されることで、高画質化ステートに移行する。また、SYS_OUTPUT(0)の基板間コマンドが発生されることで、システム終了処理部４０４の処理（システム終了ルーチン）に移行する。
【０１３５】
また、上述したアップグレードステージ２ｂの場合（図１５参照）、高画質化処理基板１１１のインタプリタ部１４０内のマッチングテーブルメモリ１４２およびプログラムメモリ１４４には、図２８に示すようなデータが記憶されている。
【０１３６】
すなわち、マッチングテーブルメモリ１４２には、全ステート共通コマンド、高画質化ステートコマンドおよび時間方向高密度化ステートコマンドの各コマンドと、読み出し先情報、書き込み先情報および制御プログラム情報（リンクされるプログラムの動作）との対応関係を示すテーブルが記憶されている。
【０１３７】
この場合、上述したアップグレードステージ１における記憶内容と比較すると、時間方向高密度化ステートコマンドの部分が増加した状態となっている。ここで、MFvx_VOL_X(val)は解像度パラメータ値を指定するコマンドであり、読み出し先情報としては「スロットＤ出力」が対応し、書き込み先情報としては「システム出力」が対応し、リンクされるプログラムの動作としては「時間方向高密度化時の解像度パラメータ変更」が対応している。MFvx_VOL_Y(val)はノイズパラメータ値を指定するコマンドであり、読み出し先情報としては「スロットＤ入力」が対応し、書き込み先情報としては「システム出力」が対応し、リンクされるプログラムの動作としては「時間方向高密度化時のノイズパラメータ変更」が対応している。MFvx_CRFM(val)は単位時間当たりのフレーム数を指定するコマンドであり、読み出し先情報としては「スロットＤ入力」が対応し、書き込み先情報としては「システム出力」が対応し、リンクされるプログラムの動作としては「時間方向高密度化時のレジスタ値を設定」が対応している。
【０１３８】
なお、図２８の例は、処理基板スロット１０２ｄ、つまりスロットＤに時間方向高密度化処理基板１１４が挿入されている場合（図１５参照）に対応しており、読み出し先情報が「スロットＤ出力」となっている。しかし、一般的には、読み出し先情報は、この時間方向高密度化処理基板１１４が挿入された処理基板スロットに割り当てられている共有メモリ領域を示すことになる。
【０１３９】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ１における記憶内容と同じである。
【０１４０】
また、プログラムメモリ１４４には、上述した「リンクされるプログラムの動作」をそれぞれ実行するための制御プログラムが記憶されている。
【０１４１】
また、上述したアップグレードステージ２ｂの場合（図１５参照）、時間方向高密度化処理基板１１４のインタプリタ部１４０内のマッチングテーブルメモリ１４２およびプログラムメモリ１４４には、図２９に示すようなデータが記憶されている。
【０１４２】
すなわち、マッチングテーブルメモリ１４２には、全ステート共通コマンドおよび時間方向高密度化ステートコマンドの各コマンドと、読み出し先情報、書き込み先情報および制御プログラム情報（リンクされるプログラムの動作）との対応関係を示すテーブルが記憶されている。
【０１４３】
ここで、SYS_INPUT(val)は入力基板１０６で選択する入力先を指定するコマンドであり、読み出し先情報としては「変更しない」が対応し、書き込み先情報としては「変更しない」が対応し、リンクされるプログラムの動作としては「現状維持」が対応している。SYS_OUTPUT(val)は出力基板１０７で選択する出力先を指定するコマンドであって、読み出し先情報としては「変更しない」が対応し、書き込み先情報としては「変更しない」が対応し、リンクされるプログラムの動作としては「現状維持」が対応している。
【０１４４】
また、MFvx_VOL_X(val)は解像度パラメータ値を指定するコマンドであり、読み出し先情報としては「変更しない」が対応し、書き込み先情報としては「変更しない」が対応し、リンクされるプログラムの動作としては「現状維持」が対応している。MFvx_VOL_Y(val)はノイズパラメータ値を指定するコマンドであり、読み出し先情報としては「変更しない」が対応し、書き込み先情報としては「変更しない」が対応し、リンクされるプログラムの動作としては「現状維持」が対応している。MFvx_CRFM(val)は単位時間当たりのフレーム数を指定するコマンドであり、読み出し先情報としては「システム入力」が対応し、書き込み先情報としては「スロットＤ出力」が対応し、リンクされるプログラムの動作としては「valに応じたレジスタ値に設定」が対応している。
【０１４５】
また、マッチングテーブルメモリ１４２には、基板間コマンド不一致時における、読み出し先情報、書き込み先情報および制御プログラム情報（リンクされるプログラムの動作）が記憶されている。この場合、読み出し先情報は「入力なし」とされ、書き込み先情報は「スロットＤ出力」とされ、リンクされるプログラムの動作は「処理停止、ブランク信号出力」とされている。
【０１４６】
なお、図２９の例は、処理基板スロット１０２ｄ、つまりスロットＤに時間方向高密度化処理基板１１４が挿入されている場合（図１５参照）に対応しており、書き込み先情報が「スロットＤ出力」となっている。しかし、一般的には、書き込み先情報は、この時間方向高密度化処理基板１１４が挿入された処理基板スロットに割り当てられている共有メモリ領域を示すことになる。
【０１４７】
また、プログラムメモリ１４４には、上述した「リンクされるプログラムの動作」をそれぞれ実行するための制御プログラムが記憶されている。
【０１４８】
また、上述したアップグレードステージ２ｂの場合（図１５参照）、制御基板１０４のプログラムメモリ１２２には、このアップグレードステージ２ｂの各ステートでユーザが操作するリモコン１１０のボタンと基板間コマンドとの対応関係を示すテーブル、および図３０に示す、各ステートで発生し得る基板間コマンドとステート遷移との関係であるステート遷移情報（ステート遷移図）が記憶されている。
【０１４９】
この場合、上述したスタートアップ処理部４０１の処理（スタートアップルーチン）でMF_VOL_X(val)またはMF_VOL_Y(val)の初期設定コマンドが発生されることで、高画質化ステートとなる。また、上述したスタートアップ処理部４０１の処理（スタートアップルーチン）でMFvx_CRFM(val)の初期設定コマンドが発生されることで、時間方向高密度化ステートとなる。
【０１５０】
高画質化ステートでは、MF_VOL_X(val)、MF_VOL_Y(val)、SYS_INPUT(val)、SYS_OUTPUT(val)、MFvx_CRFM(val)の基板間コマンドを発生できる。この場合、MFvx_CRFM(val)の基板間コマンドが発生されることで、時間方向高密度化ステートに移行する。また、SYS_OUTPUT(0)の基板間コマンドが発生されることで、システム終了処理部４０４の処理（システム終了ルーチン）に移行する。
【０１５１】
同様に、時間方向高密度化ステートでは、MFvx_VOL_X(val)、MFvx_VOL_Y(val)、MFvx_CRFM(val)、SYS_INPUT(val)、SYS_OUTPUT(val)、MF_VOL_X(val)、MF_VOL_Y(val)の基板間コマンドを発生できる。この場合、MF_VOL_X(val)またはMF_VOL_Y(val)の基板間コマンドが発生されることで、高画質化ステートに移行する。また、SYS_OUTPUT(0)の基板間コマンドが発生されることで、システム終了処理部４０４の処理（システム終了ルーチン）に移行する。
【０１５２】
また、上述したアップグレードステージ３の場合（図１７参照）、高画質化処理基板１１１のインタプリタ部１４０内のマッチングテーブルメモリ１４２およびプログラムメモリ１４４には、図３１に示すようなデータが記憶されている。
【０１５３】
すなわち、マッチングテーブルメモリ１４２には、全ステート共通コマンド、高画質化ステートコマンド、ノイズ除去ステートコマンドおよび時間方向高密度化ステートコマンドの各コマンドと、読み出し先情報、書き込み先情報および制御プログラム情報（リンクされるプログラムの動作）との対応関係を示すテーブルが記憶されている。
【０１５４】
この場合、上述したアップグレードステージ２ａにおける記憶内容と比較すると、時間方向高密度化ステートコマンドの部分が増加した状態となっている。ここで、MFvx_VOL_X(val)は解像度パラメータ値を指定するコマンドであり、読み出し先情報としては「スロットＤ出力」が対応し、書き込み先情報としては「システム出力」が対応し、リンクされるプログラムの動作としては「時間方向高密度化時の解像度パラメータ変更」が対応している。MFvx_VOL_Y(val)はノイズパラメータ値を指定するコマンドであり、読み出し先情報としては「スロットＤ出力」が対応し、書き込み先情報としては「システム出力」が対応し、リンクされるプログラムの動作としては「時間方向高密度化時のノイズパラメータ変更」が対応している。MFvx_CRFM(val)は単位時間当たりのフレーム数を指定するコマンドであり、読み出し先情報としては「スロットＤ出力」が対応し、書き込み先情報としては「システム出力」が対応し、リンクされるプログラムの動作としては「時間方向高密度化時のレジスタ値を設定」が対応している。
【０１５５】
なお、図３１の例は、処理基板スロット１０２ｄ、つまりスロットＤに時間方向高密度化処理基板１１４が挿入されている場合（図１７参照）に対応しており、読み出し先情報が「スロットＤ出力」となっている。しかし、一般的には、読み出し先情報は、この時間方向高密度化処理基板１１４が挿入された処理基板スロットに割り当てられている共有メモリ領域を示すことになる。
【０１５６】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ２ａにおける記憶内容と同じである。
【０１５７】
また、プログラムメモリ１４４には、上述した「リンクされるプログラムの動作」をそれぞれ実行するための制御プログラムが記憶されている。
【０１５８】
また、上述したアップグレードステージ３の場合（図１７参照）、ノイズ除去処理基板１１３のインタプリタ部１４０内のマッチングテーブルメモリ１４２およびプログラムメモリ１４４には、図３２に示すようなデータが記憶されている。
【０１５９】
すなわち、マッチングテーブルメモリ１４２には、全ステート共通コマンド、ノイズ除去ステートコマンドおよび時間方向高密度化ステートコマンドの各コマンドと、読み出し先情報、書き込み先情報および制御プログラム情報（リンクされるプログラムの動作）との対応関係を示すテーブルが記憶されている。
【０１６０】
この場合、上述したアップグレードステージ２ａにおける記憶内容と比較すると、時間方向高密度化ステートコマンドの部分が増加した状態となっている。ここで、MFvx_CRFM(val)は単位時間当たりのフレーム数を指定するコマンドであり、読み出し先情報としては「システム入力」が対応し、書き込み先情報としては「スロットＣ出力」が対応し、リンクされるプログラムの動作としては「valに応じてノイズ除去強度パラメータ変更」が対応している。MFvx_VOL_X(val)は解像度パラメータ値を指定するコマンドであり、読み出し先情報としては「変更しない」が対応し、書き込み先情報としては「変更しない」が対応し、リンクされるプログラムの動作としては「現状維持」が対応している。MFvx_VOL_Y(val)はノイズパラメータ値を指定するコマンドであり、読み出し先情報としては「変更しない」が対応し、書き込み先情報としては「変更しない」が対応し、リンクされるプログラムの動作としては「現状維持」が対応している。
【０１６１】
なお、図３２の例は、処理基板スロット１０２ｃ、つまりスロットＣにノイズ除去処理基板１１３が挿入されている場合（図１７参照）に対応しており、書き込み先情報が「スロットＣ出力」となっている。しかし、一般的には、書き込み先情報は、このノイズ除去処理基板１１３が挿入された処理基板スロットに割り当てられている共有メモリ領域を示すことになる。
【０１６２】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ２ａにおける記憶内容と同じである。
【０１６３】
また、プログラムメモリ１４４には、上述した「リンクされるプログラムの動作」をそれぞれ実行するための制御プログラムが記憶されている。
【０１６４】
また、上述したアップグレードステージ３の場合（図１７参照）、時間方向高密度化処理基板１１４のインタプリタ部１４０内のマッチングテーブルメモリ１４２およびプログラムメモリ１４４には、図３３に示すようなデータが記憶されている。
【０１６５】
すなわち、マッチングテーブルメモリ１４２には、全ステート共通コマンドおよび時間方向高密度化ステートコマンドの各コマンドと、読み出し先情報、書き込み先情報および制御プログラム情報（リンクされるプログラムの動作）との対応関係を示すテーブルが記憶されている。
【０１６６】
ここで、SYS_INPUT(val)は入力基板１０６で選択する入力先を指定するコマンドであり、読み出し先情報としては「変更しない」が対応し、書き込み先情報としては「変更しない」が対応し、リンクされるプログラムの動作としては「現状維持」が対応している。SYS_OUTPUT(val)は出力基板１０７で選択する出力先を指定するコマンドであって、読み出し先情報としては「変更しない」が対応し、書き込み先情報としては「変更しない」が対応し、リンクされるプログラムの動作としては「現状維持」が対応している。
【０１６７】
また、MFvx_VOL_X(val)は解像度パラメータ値を指定するコマンドであり、読み出し先情報としては「変更しない」が対応し、書き込み先情報としては「変更しない」が対応し、リンクされるプログラムの動作としては「現状維持」が対応している。MFvx_VOL_Y(val)はノイズパラメータ値を指定するコマンドであり、読み出し先情報としては「変更しない」が対応し、書き込み先情報としては「変更しない」が対応し、リンクされるプログラムの動作としては「現状維持」が対応している。MFvx_CRFM(val)は単位時間当たりのフレーム数を指定するコマンドであり、読み出し先情報としては「スロットＣ出力」が対応し、書き込み先情報としては「スロットＤ出力」が対応し、リンクされるプログラムの動作としては「valに応じたレジスタ値に設定」が対応している。
【０１６８】
また、マッチングテーブルメモリ１４２には、基板間コマンド不一致時における、読み出し先情報、書き込み先情報および制御プログラム情報（リンクされるプログラムの動作）が記憶されている。この場合、読み出し先情報は「入力なし」とされ、書き込み先情報は「スロットＤ出力」とされ、リンクされるプログラムの動作は「処理停止、ブランク信号出力」とされている。
【０１６９】
なお、図３３の例は、処理基板スロット１０２ｃ、つまりスロットＣにノイズ除去処理基板１１３が挿入され、処理基板スロット１０２ｄ、つまりスロットＤに時間方向高密度化処理基板１１４が挿入されている場合（図１７参照）に対応しており、読み出し先情報が「スロットＣ出力」となっており、書き込み先情報が「スロットＤ出力」となっている。しかし、一般的には、読み出し先情報はノイズ除去処理基板１１３が挿入された処理基板スロットに割り当てられている共有メモリ領域を示すことになると共に、書き込み先情報は時間方向高密度化処理基板１１４が挿入された処理基板スロットに割り当てられている共有メモリ領域を示すことになる。
【０１７０】
また、プログラムメモリ１４４には、上述した「リンクされるプログラムの動作」をそれぞれ実行するための制御プログラムが記憶されている。
【０１７１】
また、上述したアップグレードステージ３の場合（図１７参照）、制御基板１０４のプログラムメモリ１２２には、このアップグレードステージ３の各ステートでユーザが操作するリモコン１１０のボタンと基板間コマンドとの対応関係を示すテーブル、および図３４に示す、各ステートで発生し得る基板間コマンドとステート遷移との関係であるステート遷移情報（ステート遷移図）が記憶されている。
【０１７２】
この場合、上述したスタートアップ処理部４０１の処理（スタートアップルーチン）でMF_VOL_X(val)またはMF_VOL_Y(val)の初期設定コマンドが発生されることで、高画質化ステートとなる。また、上述したスタートアップ処理部４０１の処理（スタートアップルーチン）でMPEG_NR(val)の初期設定コマンドが発生されることで、ノイズ除去ステートとなる。また、上述したスタートアップ処理部４０１の処理（スタートアップルーチン）でMFvx_CRFM(val)の初期設定コマンドが発生されることで、時間方向高密度化ステートとなる。
【０１７３】
高画質化ステートでは、MF_VOL_X(val)、MF_VOL_Y(val)、SYS_INPUT(val)、SYS_OUTPUT(val)、MPEG_NR(val)、MFvx_CRFM(val)の基板間コマンドを発生できる。この場合、MPEG_NR(val)の基板間コマンドが発生されることで、ノイズ除去ステートに移行する。また、MFvx_CRFM(val)の基板間コマンドが発生されることで、時間方向高密度化ステートに移行する。また、SYS_OUTPUT(0)の基板間コマンドが発生されることで、システム終了処理部４０４の処理（システム終了ルーチン）に移行する。
【０１７４】
同様に、ノイズ除去ステートでは、MPEG_NR(val)、SYS_INPUT(val)、SYS_OUTPUT(val)、MFvx_CRFM(val)、MF_VOL_X(val)、MF_VOL_Y(val)の基板間コマンドを発生できる。この場合、MFvx_CRFM(val)の基板間コマンドが発生されることで、時間方向高密度化ステートに移行する。また、MF_VOL_X(val)またはMF_VOL_Y(val)の基板間コマンドが発生されることで、高画質化ステートに移行する。また、SYS_OUTPUT(0)の基板間コマンドが発生されることで、システム終了処理部４０４の処理（システム終了ルーチン）に移行する。
【０１７５】
同様に、時間方向高密度化ステートでは、MFvx_VOL_X(val)、MFvx_VOL_Y(val)、MFvx_CRFM(val)、SYS_INPUT(val)、SYS_OUTPUT(val)、MF_VOL_X(val)、MF_VOL_Y(val)、MPEG_NR(val)の基板間コマンドを発生できる。この場合、MF_VOL_X(val)またはMF_VOL_Y(val)の基板間コマンドが発生されることで、高画質化ステートに移行する。また、MPEG_NR(val)の基板間コマンドが発生されることで、ノイズ除去ステートに移行する。また、SYS_OUTPUT(0)の基板間コマンドが発生されることで、システム終了処理部４０４の処理（システム終了ルーチン）に移行する。
【０１７６】
また、上述したアップグレードステージ４の場合（図１９参照）、高画質化処理基板１１１のインタプリタ部１４０内のマッチングテーブルメモリ１４２およびプログラムメモリ１４４には、図３５に示すようなデータが記憶されている。
【０１７７】
すなわち、マッチングテーブルメモリ１４２には、全ステート共通コマンド、高画質化ステートコマンド、ノイズ除去ステートコマンドおよび時間方向高密度化ステートコマンドの各コマンドと、読み出し先情報、書き込み先情報および制御プログラム情報（リンクされるプログラムの動作）との対応関係を示すテーブルが記憶されている。
【０１７８】
この場合、上述したアップグレードステージ３における記憶内容と比較すると、全ステート共通コマンドに、OUTPUT_DEV(val)が加わった状態となっている。このOUTPUT_DEV(val)は、パネルの種類を指定するコマンドであり、読み出し先情報としては「変更しない」が対応し、書き込み先情報としては「変更しない」が対応し、リンクされるプログラムの動作としては「現状維持」が対応している。
【０１７９】
またこの場合、上述したアップグレードステージ３における記憶内容と比較すると、書き込み先情報が「システム出力」から「スロットＡ出力」に変更になっている。なお、図３５の例は、処理基板スロット１０２ａ、つまりスロットＡに高画質化処理基板１１１が挿入されている場合（図１９参照）に対応しており、書き込み先情報が「スロットＡ出力」となっている。しかし、一般的には、書き込み先情報は、この高画質化処理基板１１１が挿入された処理基板スロットに割り当てられている共有メモリ領域を示すことになる。
【０１８０】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ３における記憶内容と同じである。
【０１８１】
また、プログラムメモリ１４４には、上述した「リンクされるプログラムの動作」をそれぞれ実行するための制御プログラムが記憶されている。
【０１８２】
また、上述したアップグレードステージ４の場合（図１９参照）、パネル用処理基板１１２のインタプリタ部１４０内のマッチングテーブルメモリ１４２およびプログラムメモリ１４４には、図３６に示すようなデータが記憶されている。
【０１８３】
すなわち、マッチングテーブルメモリ１４２には、全ステート共通コマンド、高画質化ステートコマンド、ノイズ除去ステートコマンドおよび時間方向高密度化ステートコマンドの各コマンドと、読み出し先情報、書き込み先情報および制御プログラム情報（リンクされるプログラムの動作）との対応関係を示すテーブルが記憶されている。
【０１８４】
ここで、SYS_INPUT(val)は入力基板１０６で選択する入力先を指定するコマンドであり、読み出し先情報としては「変更しない」が対応し、書き込み先情報としては「変更しない」が対応し、リンクされるプログラムの動作としては「現状維持」が対応している。SYS_OUTPUT(val)は出力基板１０７で選択する出力先を指定するコマンドであって、読み出し先情報としては「変更しない」が対応し、書き込み先情報としては「変更しない」が対応し、リンクされるプログラムの動作としては「現状維持」が対応している。OUTPUT_DEV(val)はパネルの種類を指定するコマンドであり、読み出し先情報としては「スロットＡ出力」が対応し、書き込み先情報としては「システム出力」が対応し、リンクされるプログラムの動作としては「valが示すデバイスに応じたレジスタ値に設定する」が対応している。
【０１８５】
また、MF_VOL_X(val)は解像度パラメータ値を指定するコマンドであり、読み出し先情報としては「スロットＡ出力」が対応し、書き込み先情報としては「システム出力」が対応し、リンクされるプログラムの動作としては「現状維持」が対応している。MF_VOL_Y(val)はノイズパラメータ値を指定するコマンドであり、読み出し先情報としては「スロットＡ出力」が対応し、書き込み先情報としては「システム出力」が対応し、リンクされるプログラムの動作としては「現状維持」が対応している。
【０１８６】
また、MPEG_NR(val)はノイズ除去強度パラメータ値を指定するコマンドであり、読み出し先情報としては「スロットＡ出力」が対応し、書き込み先情報としては「システム出力」が対応し、リンクされるプログラムの動作としては「現状維持」が対応している。
【０１８７】
また、MFvx_CRFM(val)は単位時間当たりのフレーム数を指定するコマンドであり、読み出し先情報としては「スロットＡ出力」が対応し、書き込み先情報としては「システム出力」が対応し、リンクされるプログラムの動作としては「現状維持」が対応している。MFvx_VOL_X(val)は解像度パラメータ値を指定するコマンドであり、読み出し先情報としては「変更しない」が対応し、書き込み先情報としては「変更しない」が対応し、リンクされるプログラムの動作としては「現状維持」が対応している。MFvx_VOL_Y(val)はノイズパラメータ値を指定するコマンドであり、読み出し先情報としては「変更しない」が対応し、書き込み先情報としては「変更しない」が対応し、リンクされるプログラムの動作としては「現状維持」が対応している。
【０１８８】
なお、図３６の例は、処理基板スロット１０２ａ、つまりスロットＡに高画質化処理基板１１１が挿入されている場合（図１９参照）に対応しており、読み出し先情報が「スロットＡ出力」となっている。しかし、一般的には、書き込み先情報は、この高画質化処理基板１１１が挿入された処理基板スロットに割り当てられている共有メモリ領域を示すことになる。
【０１８９】
また、マッチングテーブルメモリ１４２には、基板間コマンド不一致時における、読み出し先情報、書き込み先情報および制御プログラム情報（リンクされるプログラムの動作）が記憶されている。この場合、読み出し先情報は「入力なし」とされ、書き込み先情報は「スロットＢ出力」とされ、リンクされるプログラムの動作は「処理停止、ブランク信号出力」とされている。
【０１９０】
なお、図３６の例は、処理基板スロット１０２ｂ、つまりスロットＢにパネル用処理基板１１２が挿入されている場合（図１９参照）に対応しており、書き込み先情報が「スロットＢ出力」となっている。しかし、一般的には、書き込み先情報は、このパネル用処理基板１１２が挿入された処理基板スロットに割り当てられている共有メモリ領域を示すことになる。
【０１９１】
また、上述したアップグレードステージ４の場合（図１９参照）、ノイズ除去処理基板１１３のインタプリタ部１４０内のマッチングテーブルメモリ１４２およびプログラムメモリ１４４には、図３７に示すようなデータが記憶されている。
【０１９２】
すなわち、マッチングテーブルメモリ１４２には、全ステート共通コマンド、ノイズ除去ステートコマンドおよび時間方向高密度化ステートコマンドの各コマンドと、読み出し先情報、書き込み先情報および制御プログラム情報（リンクされるプログラムの動作）との対応関係を示すテーブルが記憶されている。
【０１９３】
この場合、上述したアップグレードステージ３における記憶内容と比較すると、全ステート共通コマンドに、OUTPUT_DEV(val)が加わった状態となっている。このOUTPUT_DEV(val)は、パネルの種類を指定するコマンドであり、読み出し先情報としては「変更しない」が対応し、書き込み先情報としては「変更しない」が対応し、リンクされるプログラムの動作としては「現状維持」が対応している。
【０１９４】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ３における記憶内容と同じである。
【０１９５】
また、プログラムメモリ１４４には、上述した「リンクされるプログラムの動作」をそれぞれ実行するための制御プログラムが記憶されている。
【０１９６】
また、上述したアップグレードステージ４の場合（図１９参照）、時間方向高密度化処理基板１１４のインタプリタ部１４０内のマッチングテーブルメモリ１４２およびプログラムメモリ１４４には、図３８に示すようなデータが記憶されている。
【０１９７】
すなわち、マッチングテーブルメモリ１４２には、全ステート共通コマンドおよび時間方向高密度化ステートコマンドの各コマンドと、読み出し先情報、書き込み先情報および制御プログラム情報（リンクされるプログラムの動作）との対応関係を示すテーブルが記憶されている。
【０１９８】
この場合、上述したアップグレードステージ３における記憶内容と比較すると、全ステート共通コマンドに、OUTPUT_DEV(val)が加わった状態となっている。このOUTPUT_DEV(val)は、パネルの種類を指定するコマンドであり、読み出し先情報としては「変更しない」が対応し、書き込み先情報としては「変更しない」が対応し、リンクされるプログラムの動作としては「現状維持」が対応している。
【０１９９】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ３における記憶内容と同じである。
【０２００】
また、プログラムメモリ１４４には、上述した「リンクされるプログラムの動作」をそれぞれ実行するための制御プログラムが記憶されている。
【０２０１】
また、上述したアップグレードステージ４の場合（図１９参照）、制御基板１０４のプログラムメモリ１２２には、このアップグレードステージ４の各ステートでユーザが操作するリモコン１１０のボタンと基板間コマンドとの対応関係を示すテーブル、および図３９に示す、各ステートで発生し得る基板間コマンドとステート遷移との関係であるステート遷移情報（ステート遷移図）が記憶されている。
【０２０２】
この場合、上述したスタートアップ処理部４０１の処理（スタートアップルーチン）でMF_VOL_X(val)またはMF_VOL_Y(val)の初期設定コマンドが発生されることで、高画質化ステートとなる。また、上述したスタートアップ処理部４０１の処理（スタートアップルーチン）でMPEG_NR(val)の初期設定コマンドが発生されることで、ノイズ除去ステートとなる。また、上述したスタートアップ処理部４０１の処理（スタートアップルーチン）でMFvx_CRFM(val)の初期設定コマンドが発生されることで、時間方向高密度化ステートとなる。
【０２０３】
高画質化ステートでは、MF_VOL_X(val)、MF_VOL_Y(val)、SYS_INPUT(val)、SYS_OUTPUT(val)、OUTPUT_DEV(val)、MPEG_NR(val)、MFvx_CRFM(val)の基板間コマンドを発生できる。この場合、MPEG_NR(val)の基板間コマンドが発生されることで、ノイズ除去ステートに移行する。また、MFvx_CRFM(val)の基板間コマンドが発生されることで、時間方向高密度化ステートに移行する。また、SYS_OUTPUT(0)の基板間コマンドが発生されることで、システム終了処理部４０４の処理（システム終了ルーチン）に移行する。
【０２０４】
同様に、ノイズ除去ステートでは、MPEG_NR(val)、SYS_INPUT(val)、SYS_OUTPUT(val)、OUTPUT_DEV(val)、MF_VOL_X(val)、MF_VOL_Y(val)、MFvx_CRFM(val)の基板間コマンドを発生できる。この場合、MF_VOL_X(val)またはMF_VOL_Y(val)の基板間コマンドが発生されることで、高画質化ステートに移行する。また、MFvx_CRFM(val)の基板間コマンドが発生されることで、時間方向高密度化ステートに移行する。また、SYS_OUTPUT(0)の基板間コマンドが発生されることで、システム終了処理部４０４の処理（システム終了ルーチン）に移行する。
【０２０５】
同様に、時間方向高密度化ステートでは、MFvx_VOL_X(val)、MFvx_VOL_Y(val)、MFvx_CRFM(val)、SYS_INPUT(val)、SYS_OUTPUT(val)、OUTPUT_DEV(val)、MF_VOL_X(val)、MF_VOL_Y(val)、MPEG_NR(val)、の基板間コマンドを発生できる。この場合、MF_VOL_X(val)またはMF_VOL_Y(val)の基板間コマンドが発生されることで、高画質化ステートに移行する。また、MPEG_NR(val)の基板間コマンドが発生されることで、ノイズ除去ステートに移行する。また、SYS_OUTPUT(0)の基板間コマンドが発生されることで、システム終了処理部４０４の処理（システム終了ルーチン）に移行する。
【０２０６】
また、上述したアップグレードステージ５の場合（図２１参照）、高画質化処理基板１１１のインタプリタ部１４０内のマッチングテーブルメモリ１４２およびプログラムメモリ１４４には、図４０に示すようなデータが記憶されている。
【０２０７】
すなわち、マッチングテーブルメモリ１４２には、全ステート共通コマンド、高画質化ステートコマンド、ノイズ除去ステートコマンド、時間方向高密度化ステートコマンドおよび統合高画質化ステートコマンドの各コマンドと、読み出し先情報、書き込み先情報および制御プログラム情報（リンクされるプログラムの動作）との対応関係を示すテーブルが記憶されている。
【０２０８】
この場合、上述したアップグレードステージ３における記憶内容と比較すると、全ステート共通コマンドに、OUTPUT_DEV(val)が加わった状態となっている。このOUTPUT_DEV(val)は、パネルの種類を指定するコマンドであり、読み出し先情報としては「変更しない」が対応し、書き込み先情報としては「変更しない」が対応し、リンクされるプログラムの動作としては「現状維持」が対応している。
【０２０９】
また、上述したアップグレードステージ３における記憶内容と比較すると、高画質化ステートコマンド、ノイズ除去ステートコマンドおよび時間方向高密度化ステートコマンドに対応した書き込み先情報が「システム出力」から「スロットＡ出力」に変更になっている。なお、図３４の例は、処理基板スロット１０２ａ、つまりスロットＡに高画質化処理基板１１１が挿入されている場合（図２１参照）に対応しており、書き込み先情報が「スロットＡ出力」となっている。しかし、一般的には、書き込み先情報は、この高画質化処理基板１１１が挿入された処理基板スロットに割り当てられている共有メモリ領域を示すことになる。
【０２１０】
また、上述したアップグレードステージ３における記憶内容と比較すると、統合高画質化ステートコマンドの部分が増加した状態となっている。ここで、MFvy_VOL_X(val)は解像度パラメータ値を指定するコマンドであり、読み出し先情報としては「スロットＣ出力」が対応し、書き込み先情報としては「スロットＡ出力」が対応し、リンクされるプログラムの動作としては「統合高画質化時の解像度パラメータ変更」が対応している。MFvy_VOL_Y(val)はノイズパラメータ値を指定するコマンドであり、読み出し先情報としては「スロットＣ出力」が対応し、書き込み先情報としては「スロットＡ出力」が対応し、リンクされるプログラムの動作としては「統合高画質化時のノイズパラメータ変更」が対応している。MFvy_PD(val)は統合高画質化パラメータ値を指定するコマンドであり、読み出し先情報としては「スロットＣ出力」が対応し、書き込み先情報としては「スロットＡ出力」が対応し、リンクされるプログラムの動作としては「統合高画質化時のレジスタ値を設定」が対応している。
【０２１１】
なお、図４０の例は、処理基板スロット１０２ｃ、つまりスロットＣにノイズ除去処理基板１１３が挿入されていると共に、処理基板スロット１０２ａ、つまりスロットＡに高画質化処理基板１１１が挿入されている場合（図２１参照）に対応しており、読み出し先情報が「スロットＣ出力」、書き込み先情報が「スロットＡ出力」となっている。しかし、一般的には、読み出し先情報は、ノイズ除去処理基板１１３が挿入された処理基板スロットに割り当てられている共有メモリ領域を示すことになり、また書き込み先情報は高画質化処理基板１１１が挿入された処理基板スロットに割り当てられている共有メモリ領域を示すことになる。
【０２１２】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ３における記憶内容と同じである。
【０２１３】
また、プログラムメモリ１４４には、上述した「リンクされるプログラムの動作」をそれぞれ実行するための制御プログラムが記憶されている。
【０２１４】
また、上述したアップグレードステージ５の場合（図２１参照）、ノイズ除去処理基板１１３のインタプリタ部１４０内のマッチングテーブルメモリ１４２およびプログラムメモリ１４４には、図４１に示すようなデータが記憶されている。
【０２１５】
すなわち、マッチングテーブルメモリ１４２には、全ステート共通コマンド、ノイズ除去ステートコマンド、時間方向高密度化ステートコマンドおよび統合高画質化ステートコマンドの各コマンドと、読み出し先情報、書き込み先情報および制御プログラム情報（リンクされるプログラムの動作）との対応関係を示すテーブルが記憶されている。
【０２１６】
この場合、上述したアップグレードステージ３における記憶内容と比較すると、全ステート共通コマンドに、OUTPUT_DEV(val)が加わった状態となっている。このOUTPUT_DEV(val)は、パネルの種類を指定するコマンドであり、読み出し先情報としては「変更しない」が対応し、書き込み先情報としては「変更しない」が対応し、リンクされるプログラムの動作としては「現状維持」が対応している。
【０２１７】
また、上述したアップグレードステージ３における記憶内容と比較すると、統合高画質化ステートコマンドの部分が増加した状態となっている。ここで、MFvy_VOL_X(val)は解像度パラメータ値を指定するコマンドであり、読み出し先情報としては「システム入力」が対応し、書き込み先情報としては「スロットＣ出力」が対応し、リンクされるプログラムの動作としては「現状維持」が対応している。MFvy_VOL_Y(val)はノイズパラメータ値を指定するコマンドであり、読み出し先情報としては「システム入力」が対応し、書き込み先情報としては「スロットＣ出力」が対応し、リンクされるプログラムの動作としては「現状維持」が対応している。MFvy_PD(val)は統合高画質化パラメータ値を指定するコマンドであり、読み出し先情報としては「システム入力」が対応し、書き込み先情報としては「スロットＣ出力」が対応し、リンクされるプログラムの動作としては「valに応じてノイズ除去強度パラメータ変更」が対応している。
【０２１８】
なお、図４１の例は、処理基板スロット１０２ｃ、つまりスロットＣにノイズ除去処理基板１１３が挿入されている場合（図２１参照）に対応しており、書き込み先情報が「スロットＣ出力」となっている。しかし、一般的には、書き込み先情報は、ノイズ除去処理基板１１３が挿入された処理基板スロットに割り当てられている共有メモリ領域を示すことになる。
【０２１９】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ３における記憶内容と同じである。
【０２２０】
また、プログラムメモリ１４４には、上述した「リンクされるプログラムの動作」をそれぞれ実行するための制御プログラムが記憶されている。
【０２２１】
また、上述したアップグレードステージ５の場合（図２１参照）、時間方向高密度化処理基板１１４のインタプリタ部１４０内のマッチングテーブルメモリ１４２およびプログラムメモリ１４４には、図４２に示すようなデータが記憶されている。
【０２２２】
すなわち、マッチングテーブルメモリ１４２には、全ステート共通コマンド、時間方向高密度化ステートコマンドおよび統合高画質化ステートコマンドの各コマンドと、読み出し先情報、書き込み先情報および制御プログラム情報（リンクされるプログラムの動作）との対応関係を示すテーブルが記憶されている。
【０２２３】
この場合、上述したアップグレードステージ３における記憶内容と比較すると、全ステート共通コマンドに、OUTPUT_DEV(val)が加わった状態となっている。このOUTPUT_DEV(val)は、パネルの種類を指定するコマンドであり、読み出し先情報としては「変更しない」が対応し、書き込み先情報としては「変更しない」が対応し、リンクされるプログラムの動作としては「現状維持」が対応している。
【０２２４】
また、上述したアップグレードステージ３における記憶内容と比較すると、統合高画質化ステートコマンドの部分が増加した状態となっている。ここで、MFvy_VOL_X(val)は解像度パラメータ値を指定するコマンドであり、読み出し先情報としては「スロットＣ出力」が対応し、書き込み先情報としては「スロットＤ出力」が対応し、リンクされるプログラムの動作としては「現状維持」が対応している。MFvy_VOL_Y(val)はノイズパラメータ値を指定するコマンドであり、読み出し先情報としては「スロットＣ出力」が対応し、書き込み先情報としては「スロットＤ出力」が対応し、リンクされるプログラムの動作としては「現状維持」が対応している。MFvy_PD(val)は統合高画質化パラメータ値を指定するコマンドであり、読み出し先情報としては「スロットＣ出力」が対応し、書き込み先情報としては「スロットＤ出力」が対応し、リンクされるプログラムの動作としては「動きベクトルデータ出力モードに変更」が対応している。
【０２２５】
なお、図４２の例は、処理基板スロット１０２ｃ、つまりスロットＣにノイズ除去処理基板１１３が挿入されており、また処理基板スロット１０２ｄ、つまりスロットＤに時間方向高密度化処理基板１１４が挿入されている場合（図２１参照）に対応しており、読み出し先情報が「スロットＣ出力」になっており、書き込み先情報が「スロットＤ出力」となっている。しかし、一般的には、書き込み先情報はノイズ除去処理基板１１３が挿入された処理基板スロットに割り当てられている共有メモリ領域を示すことになり、読み出し先情報は時間方向高密度化処理基板１１４が挿入された処理基板スロットに割り当てられている共有メモリ領域を示すことになる。
【０２２６】
また、マッチングテーブルメモリ１４２には、基板間コマンド不一致時における、読み出し先情報、書き込み先情報および制御プログラム情報（リンクされるプログラムの動作）が記憶されている。これは、上述したアップグレードステージ３における記憶内容と同じである。
【０２２７】
また、プログラムメモリ１４４には、上述した「リンクされるプログラムの動作」をそれぞれ実行するための制御プログラムが記憶されている。
【０２２８】
また、上述したアップグレードステージ５の場合（図２１参照）、統合高画質化処理基板１１５のインタプリタ部１４０内のマッチングテーブルメモリ１４２およびプログラムメモリ１４４には、図４３に示すようなデータが記憶されている。
【０２２９】
すなわち、マッチングテーブルメモリ１４２には、全ステート共通コマンド、高画質化ステートコマンド、ノイズ除去ステートコマンド、時間方向高密度化ステートコマンドおよび統合高画質化ステートコマンドの各コマンドと、読み出し先情報、書き込み先情報および制御プログラム情報（リンクされるプログラムの動作）との対応関係を示すテーブルが記憶されている。
【０２３０】
ここで、SYS_INPUT(val)は入力基板１０６で選択する入力先を指定するコマンドであり、読み出し先情報としては「変更しない」が対応し、書き込み先情報としては「変更しない」が対応し、リンクされるプログラムの動作としては「現状維持」が対応している。SYS_OUTPUT(val)は出力基板１０７で選択する出力先を指定するコマンドであって、読み出し先情報としては「変更しない」が対応し、書き込み先情報としては「変更しない」が対応し、リンクされるプログラムの動作としては「現状維持」が対応している。OUTPUT_DEV(val)はパネルの種類を指定するコマンドであり、読み出し先情報としては「スロットＡ出力」が対応し、書き込み先情報としては「システム出力」が対応し、リンクされるプログラムの動作としては「valが示すデバイスに応じたレジスタ値に設定する」が対応している。
【０２３１】
また、MF_VOL_X(val)は解像度パラメータ値を指定するコマンドであり、読み出し先情報としては「スロットＡ出力」が対応し、書き込み先情報としては「システム出力」が対応し、リンクされるプログラムの動作としては「現状維持」が対応している。MF_VOL_Y(val)はノイズパラメータ値を指定するコマンドであり、読み出し先情報としては「スロットＡ出力」が対応し、書き込み先情報としては「システム出力」が対応し、リンクされるプログラムの動作としては「現状維持」が対応している。
【０２３２】
また、MPEG_NR(val)はノイズ除去強度パラメータ値を指定するコマンドであり、読み出し先情報としては「スロットＡ出力」が対応し、書き込み先情報としては「システム出力」が対応し、リンクされるプログラムの動作としては「現状維持」が対応している。
【０２３３】
また、MFvx_CRFM(val)は単位時間当たりのフレーム数を指定するコマンドであり、読み出し先情報としては「スロットＡ出力」が対応し、書き込み先情報としては「システム出力」が対応し、リンクされるプログラムの動作としては「現状維持」が対応している。MFvx_VOL_X(val)は解像度パラメータ値を指定するコマンドであり、読み出し先情報としては「変更しない」が対応し、書き込み先情報としては「変更しない」が対応し、リンクされるプログラムの動作としては「現状維持」が対応している。MFvx_VOL_Y(val)はノイズパラメータ値を指定するコマンドであり、読み出し先情報としては「変更しない」が対応し、書き込み先情報としては「変更しない」が対応し、リンクされるプログラムの動作としては「現状維持」が対応している。
【０２３４】
また、MFvy_VOL_X(val)は解像度パラメータ値を指定するコマンドであり、読み出し先情報としては「スロットＡ出力、スロットＤ出力」が対応し、書き込み先情報としては「システム出力」が対応し、リンクされるプログラムの動作としては「統合高画質化時のレジスタ値を設定」が対応している。MFvy_VOL_Y(val)はノイズパラメータ値を指定するコマンドであり、読み出し先情報としては「スロットＡ出力、スロットＤ出力」が対応し、書き込み先情報としては「システム出力」が対応し、リンクされるプログラムの動作としては「統合高画質化時のレジスタ値を設定」が対応している。MFvy_PD(val)は統合高画質化パラメータ値を指定するコマンドであり、読み出し先情報としては「スロットＡ出力、スロットＤ出力」が対応し、書き込み先情報としては「システム出力」が対応し、リンクされるプログラムの動作としては「統合高画質化時のレジスタ値を設定」が対応している。
【０２３５】
なお、図４３の例は、処理基板スロット１０２ａ、つまりスロットＡに高画質化処理基板１１１が挿入されており、また処理基板スロット１０２ｄ、つまりスロットＤに時間方向高密度化処理基板１１４が挿入されている場合（図２１参照）に対応しており、読み出し先情報が「スロットＡ出力、スロットＤ出力」になっている。しかし、一般的には、読み出し先情報は、高画質化処理基板１１１、時間方向高密度化処理基板１１４が挿入された処理基板スロットに割り当てられている共有メモリ領域を示すことになる。
【０２３６】
また、マッチングテーブルメモリ１４２には、基板間コマンド不一致時における、読み出し先情報、書き込み先情報および制御プログラム情報（リンクされるプログラムの動作）が記憶されている。この場合、読み出し先情報は「入力なし」とされ、書き込み先情報は「スロットＢ出力」とされ、リンクされるプログラムの動作は「処理停止、ブランク信号出力」とされている。
【０２３７】
なお、図４３の例は、処理基板スロット１０２ｂ、つまりスロットＢに統合高画質化処理基板１１５が挿入されている場合（図２１参照）に対応しており、書き込み先情報が「スロットＢ出力」となっている。しかし、一般的には、書き込み先情報は、この統合高画質化処理基板１１５が挿入された処理基板スロットに割り当てられている共有メモリ領域を示すことになる。
【０２３８】
また、上述したアップグレードステージ５の場合（図２１参照）、制御基板１０４のプログラムメモリ１２２には、このアップグレードステージ５の各ステートでユーザが操作するリモコン１１０のボタンと基板間コマンドとの対応関係を示すテーブル、および図４４に示す、各ステートで発生し得る基板間コマンドとステート遷移との関係であるステート遷移情報（ステート遷移図）が記憶されている。
【０２３９】
この場合、上述したスタートアップ処理部４０１の処理（スタートアップルーチン）でMF_VOL_X(val)またはMF_VOL_Y(val)の初期設定コマンドが発生されることで、高画質化ステートとなる。また、上述したスタートアップ処理部４０１の処理（スタートアップルーチン）でMPEG_NR(val)の初期設定コマンドが発生されることで、ノイズ除去ステートとなる。また、上述したスタートアップ処理部４０１の処理（スタートアップルーチン）でMFvx_CRFM(val)の初期設定コマンドが発生されることで、時間方向高密度化ステートとなる。また、上述したスタートアップ処理部４０１の処理（スタートアップルーチン）でMFvy_PD(val)の初期設定コマンドが発生されることで、統合高画質化ステートとなる。
【０２４０】
高画質化ステートでは、MF_VOL_X(val)、MF_VOL_Y(val)、SYS_INPUT(val)、SYS_OUTPUT(val)、OUTPUT_DEV(val)、MPEG_NR(val)、MFvx_CRFM(val)、MFvy_PD(val)の基板間コマンドを発生できる。この場合、MPEG_NR(val)の基板間コマンドが発生されることで、ノイズ除去ステートに移行する。また、MFvx_CRFM(val)の基板間コマンドが発生されることで、時間方向高密度化ステートに移行する。また、MFvy_PD(val)の基板間コマンドが発生されることで、統合高画質化ステートに移行する。また、SYS_OUTPUT(0)の基板間コマンドが発生されることで、システム終了処理部４０４の処理（システム終了ルーチン）に移行する。
【０２４１】
同様に、ノイズ除去ステートでは、MPEG_NR(val)、SYS_INPUT(val)、SYS_OUTPUT(val)、OUTPUT_DEV(val)、MF_VOL_X(val)、MF_VOL_Y(val)、MFvx_CRFM(val)、MFvy_PD(val)の基板間コマンドを発生できる。この場合、MF_VOL_X(val)またはMF_VOL_Y(val)の基板間コマンドが発生されることで、高画質化ステートに移行する。また、MFvx_CRFM(val)の基板間コマンドが発生されることで、時間方向高密度化ステートに移行する。また、MFvy_PD(val)の基板間コマンドが発生されることで、統合高画質化ステートに移行する。また、SYS_OUTPUT(0)の基板間コマンドが発生されることで、システム終了処理部４０４の処理（システム終了ルーチン）に移行する。
【０２４２】
同様に、時間方向高密度化ステートでは、MFvx_VOL_X(val)、MFvx_VOL_Y(val)、MFvx_CRFM(val)、SYS_INPUT(val)、SYS_OUTPUT(val)、OUTPUT_DEV(val)、MF_VOL_X(val)、MF_VOL_Y(val)、MPEG_NR(val)、MFvy_PD(val)の基板間コマンドを発生できる。この場合、MF_VOL_X(val)またはMF_VOL_Y(val)の基板間コマンドが発生されることで、高画質化ステートに移行する。また、MPEG_NR(val)の基板間コマンドが発生されることで、ノイズ除去ステートに移行する。また、MFvy_PD(val)の基板間コマンドが発生されることで、統合高画質化ステートに移行する。また、SYS_OUTPUT(0)の基板間コマンドが発生されることで、システム終了処理部４０４の処理（システム終了ルーチン）に移行する。
【０２４３】
同様に、統合高画質化ステートでは、MFvy_VOL_X(val)、MFvy_VOL_Y(val)、MFvy_PD(val)、SYS_INPUT(val)、SYS_OUTPUT(val)、OUTPUT_DEV(val)、MF_VOL_X(val)、MF_VOL_Y(val)、MPEG_NR(val)、MFvx_CRFM(val)の基板間コマンドを発生できる。この場合、MF_VOL_X(val)またはMF_VOL_Y(val)の基板間コマンドが発生されることで、高画質化ステートに移行する。また、MPEG_NR(val)の基板間コマンドが発生されることで、ノイズ除去ステートに移行する。また、MFvx_CRFM(val)の基板間コマンドが発生されることで、時間方向高密度化ステートに移行する。また、SYS_OUTPUT(0)の基板間コマンドが発生されることで、システム終了処理部４０４の処理（システム終了ルーチン）に移行する。
【０２４４】
上述したように各アップグレードステージで、そのステージを構成する各処理基板のインタプリタ部１４０内のマッチングテーブルメモリ１４２およびプログラムメモリ１４４に格納しておくべきデータ、また制御基板１０４のプログラムメモリ制御基板１０４内のプログラムメモリ１２２に格納しておくべきデータは決まっている。そのため、外部メモリスロット１０３に挿入されるアップグレードデータメモリには、少なくとも、アップグレード後のステージで必要とするデータが格納されている。
【０２４５】
アップグレード処理部４０２（図９参照）は、アップグレードデータメモリから、制御基板１０４のプログラムメモリ１２２に格納しておくべきデータをアップグレードデータとして読み出し、これを当該プログラムメモリ１２２に書き込む。この場合、制御基板１０４のプログラムメモリ１２２に既に格納されているデータについては、その書き込みは省略される。
【０２４６】
また、アップグレード処理部４０２は、アップグレードデータメモリから、各処理基板のインタプリタ部１４０内のマッチングテーブルメモリ１４２およびプログラムメモリ１４４に格納しておくべきデータをアップグレードデータとして読み出し、これを各処理基板のインタプリタ部１４０内のマッチングテーブルメモリ１４２およびプログラムメモリ１４４に書き込む。
【０２４７】
この場合、各処理基板のインタプリタ部１４０内のマッチングテーブルメモリ１４２およびプログラムメモリ１４４に既に格納されているデータについては、その書き込みは省略される。またこの場合、各処理基板のインタプリタ部１４０内のマッチングテーブルメモリ１４２に格納すべきデータ、つまり基板間コマンドと、読み出し先情報、書き込み先情報および制御プログラム情報（リンクされるべきプログラムの動作）との対応関係を示すテーブルにおける読み出し先情報および書き込み先情報は、アップグレードデータメモリから読み出されるデータそのものでは基板種別ＩＤで表されている。そのため、アップグレード処理部４０２は、この読み出し先情報および書き込み先情報を各スロットにおける現在の処理基板の接続状態と一致するように書き換える。つまりこの場合、読み出し先情報および書き込み先情報は、処理基板の識別子の形態から共有メモリ１０８の領域情報の形態に変更される。
【０２４８】
このように読み出し先情報および書き込み先情報を各スロットにおける現在の処理基板の接続状態と一致するように書き換えることで、各アップグレードステージで、そのステージを構成する一つまたは複数の処理基板を、スロット１０２ａ〜１０２ｄのうちの任意の位置に挿入可能となる。
【０２４９】
例えば、図１１のアップグレードステージ１から図１３のアップグレードステージ２ａへのアップグレードがある場合、高画質化処理基板１１１のインタプリタ部１４０内のマッチングテーブルメモリ１４２およびプログラムメモリ１４４には、既に格納されている全ステート共通コマンド、高画質化ステートコマンドに対応したデータの他に、ノイズ除去ステートコマンドに対応したデータが必要となる（図２３、図２５参照）。
【０２５０】
この場合、アップグレード処理部４０２は、アップグレードデータメモリから、図４５Ａに示すノイズ除去ステートコマンドに対応したデータを取得し、高画質化処理基板１１１のインタプリタ部１４０内のマッチングテーブルメモリ１４２およびプログラムメモリ１４４に書き込む。この場合、読み出し先情報および書き込み先情報は、図４５Ｂに示すように、各スロットにおける現在の処理基板の接続状態（図１３参照）と一致するように書き換えられる。
【０２５１】
また例えば、図１３のアップグレードステージ２ａから図１７のアップグレードステージ３へのアップグレードがある場合、高画質化処理基板１１１のインタプリタ部１４０内のマッチングテーブルメモリ１４２およびプログラムメモリ１４４には、既に格納されている全ステート共通コマンド、高画質化ステートコマンド、ノイズ除去ステートコマンドに対応したデータの他に、時間方向高密度化ステートコマンドに対応したデータが必要となる（図２５、図３１参照）。
【０２５２】
この場合、アップグレード処理部４０２は、アップグレードデータメモリから、図４６Ａに示す時間方向高密度化ステートコマンドに対応したデータを取得し、高画質化処理基板１１１のインタプリタ部１４０内のマッチングテーブルメモリ１４２およびプログラムメモリ１４４に書き込む。この場合、読み出し先情報および書き込み先情報は、図４６Ｂに示すように、各スロットにおける現在の処理基板の接続状態（図１７参照）と一致するように書き換えられる。
【０２５３】
また、図１３のアップグレードステージ２ａから図１７のアップグレードステージ３へのアップグレードがある場合、ノイズ除去処理基板１１３のインタプリタ部１４０内のマッチングテーブルメモリ１４２およびプログラムメモリ１４４には、既に格納されている全ステート共通コマンド、ノイズ除去ステートコマンドに対応したデータの他に、時間方向高密度化ステートコマンドに対応したデータが必要となる（図２６、図３２参照）。
【０２５４】
この場合、アップグレード処理部４０２は、アップグレードデータメモリから、図４７Ａに示す時間方向高密度化ステートコマンドに対応したデータを取得し、ノイズ除去処理基板１１１のインタプリタ部１４０内のマッチングテーブルメモリ１４２およびプログラムメモリ１４４に書き込む。この場合、読み出し先情報および書き込み先情報は、図４７Ｂに示すように、各スロットにおける現在の処理基板の接続状態（図１７参照）と一致するように書き換えられる。
【０２５５】
図９に戻って、システム制御部４０３は、ユーザが操作するリモコン１１０のボタンに対応した基板間コマンドを各処理基板に送信して、各処理基板の動作を制御する。この場合、システム制御部４０３は、プログラムメモリ１２２に格納されているステート遷移情報（ステート遷移図）に基づいて、各ステートで発生し得る基板間コマンドとステート遷移とを管理する。なお、システム制御部４０３は、遷移した各ステートで、ユーザが操作し得るボタン情報をリモコン１１０に送信するようにしてもよい。これにより、リモコン１１０の図示しない表示器に当該ボタン情報を表示でき、ユーザの操作の便宜を図ることができる。そして、システム制御部４０３は、ユーザがリモコン１１０でシステム終了の操作を行ったときは、システム終了処理部４０４の処理に移行させる。
【０２５６】
システム終了処理部４０４は、処理基板スロット１０２ａ〜１０２ｄに対する現在の処理基板の接続情報を取得し、当該現在の処理基板の接続情報、および現在の設定情報を、設定情報・接続情報保存用の不揮発性メモリ１２３に書き込み、その後にシステムを電源オフの状態とする。ここで、現在の設定情報は、例えば入力基板１０６、出力基板１０７における選択情報およびステート情報である。
【０２５７】
次に、制御基板１０４の動作を、図４８のフローチャートを用いて、説明する。
電源がオンとなると、ステップＳＴ１１に進む。このステップＳＴ１１では、スタートアップ処理部４０１が、処理基板の接続変更があるか否かを判定する。この場合、スタートアップ処理部４０１は、制御バス１０９を通じて、処理基板スロット１０２ａ〜１０２ｄの一部または全部に挿入されている処理基板の基板種別ＩＤを得ることで、処理基板スロット１０２ａ〜１０２ｄに対する現在の処理基板の接続情報を取得し、この接続情報と、設定情報・接続情報保存用の不揮発性メモリ１２３に記憶されている電源オフ時の処理基板の接続情報とを比較して、接続変更があるか否かを判定する。
【０２５８】
接続変更がないときは、ステップＳＴ１２に進む。このステップＳＴ１２では、スタートアップ処理部４０１が、各基板に、制御バス１０９を通じて、初期設定のための基板間コマンド（初期設定コマンド）を送信し、入力基板１０６および出力基板１０７の選択状態およびステートを、電源オフ時の状態に設定する。このステップＳＴ１２の処理の後に、ステップＳＴ１３に進む。
【０２５９】
また、ステップＳＴ１１で接続変更があるときは、ステップＳＴ１４に進む。このステップＳＴ１４では、スタートアップ処理部４０１は、アップグレード準備が完了しているか否かを判定する。この場合、スタートアップ処理部４０１は、外部メモリスロット１０３に、処理基板の接続変更に伴うアップグレードデータを記憶したアップグレードデータメモリ（図示せず）が挿入されているか否かを検出することで、アップグレード準備が完了しているか否かを判定する。
【０２６０】
アップグレード準備が完了しているときは、ステップＳＴ１５に進む。このステップＳＴ１５では、アップグレード処理部４０２は、制御基板１０４、処理基板スロット１０２ａ〜１０２ｄに挿入されている各処理基板のアップグレード処理をする。この場合、アップグレード処理部４０２は、アップグレードデータメモリから、制御基板１０４内のプログラムメモリ１２２に書き込むべきアップグレードデータを取得し、このアップグレードデータを当該プログラムメモリ１２２に書き込む。また、アップグレード処理部４０２は、アップグレードデータメモリから、各処理基板のインタプリタ部１４０内のマッチングテーブルメモリ１４２およびプログラムメモリ１４４に書き込むべきアップグレードデータを取得し、このアップグレードデータを当該マッチングテーブルメモリ１４２およびプログラムメモリ１４４に書き込む。このステップＳＴ１５の処理の後に、ステップＳＴ１３に進む。
【０２６１】
ステップＳＴ１３では、システム制御部４０３は、ユーザが操作するリモコン１１０のボタンに対応した基板間コマンドを各処理基板に送信して、各処理基板の動作を制御する。この場合、システム制御部４０３は、プログラムメモリ１２２に格納されているステート遷移情報（ステート遷移図）に基づいて、各ステートで発生し得る基板間コマンドとステート遷移とを管理する。
【０２６２】
そして、ステップＳＴ１６で、ユーザがリモコン１１０でシステム終了の操作を行ったか否かを判定する。ここで、ユーザがリモコン１１０でシステム終了の操作を行うとき、SYS_OUTPUT(0)の基板間コマンドが発生される。このシステム終了の操作があるときは、ステップＳＴ１７に進む。上述したステップＳＴ１４でアップグレード準備が完了していないときは、直ちにステップＳＴ１７に進む。
【０２６３】
このステップＳＴ１７では、システム終了処理部４０４は、システム終了処理をする。すなわち、システム終了処理部４０４は、処理基板スロット１０２ａ〜１０２ｄに対する現在の処理基板の接続情報を取得し、当該現在の処理基板の接続情報、および現在の設定情報を、設定情報・接続情報保存用の不揮発性メモリ１２３に書き込み、その後にシステムを電源オフの状態とする。
【０２６４】
次に、スタートアップ処理部４０１の詳細について説明する。図４９は、スタートアップ処理部４０１の構成を示している。このスタートアップ処理部４０１は、現在処理基板接続情報取得部４１１と、前回電源オフ時接続情報取得部４１２と、処理基板接続情報判定部４１３と、処理基板初期設定部４１４と、アップグレード準備判定部４１５とを有している。
【０２６５】
接続情報取得部４１１は、電源オンで処理を開始し、制御バス１０９を通じて、処理基板スロット１０２ａ〜１０２ｄの一部または全部に挿入されている処理基板の基板種別ＩＤを得ることで、処理基板スロット１０２ａ〜１０２ｄに対する現在の処理基板の接続情報を取得する。接続情報取得部４１２は、設定情報・接続情報保存用の不揮発性メモリ１２３から、前回電源オフ時の処理基板の接続情報を取得する。
【０２６６】
処理基板接続情報判定部４１３は、接続情報取得部４１１で取得された現在の処理基板の接続情報と接続情報取得部４１２で取得された電源オフ時の処理基板の接続情報とを比較し、接続変更があるか否かを判定する。
【０２６７】
処理基板初期設定部４１４は、判定部４１３で接続変更がないと判定されるとき、不揮発性メモリ１２３に記憶されている設定情報に基づいて、各基板に、システム制御部４０３を通じて、初期設定のための基板間コマンド（初期設定コマンド）を送信する。これにより、入力基板１０６および出力基板１０７の選択状態およびステートが、電源オフ時の状態に設定される。この初期設定部４１４による初期設定の後に、システム制御部４０３の処理が開始される。
【０２６８】
アップグレード準備判定部４１５は、判定部４１３で接続変更があると判定されるとき、外部メモリスロット１０３に、処理基板の接続変更に伴うアップグレードデータを記憶したアップグレードデータメモリ（図示せず）が挿入されているか否かを検出することで、アップグレード準備が完了しているか否かを判定する。
【０２６９】
この判定部４１５でアップグレード準備が完了していると判定されるとき、アップグレード処理部４０２の動作が開始される。一方、この判定部４１５でアップグレード準備が完了していないと判定されるとき、システム終了処理部４０４の動作が開始される。
【０２７０】
上述したスタートアップ処理部４０１の動作を、図５０のフローチャートを用いて、説明する。
【０２７１】
処理が開始されると、ステップＳＴ２１で、不揮発性メモリ１２３から電源オフ時の設定情報、および処理基板の接続情報を取得する。そして、ステップＳＴ２２で、処理基板スロット１０２ａ〜１０２ｄの一部または全部に挿入されている処理基板の基板種別ＩＤを得ることで、現在の処理基板の接続情報を取得する。
【０２７２】
次に、ステップＳＴ２３で、現在の処理基板の接続情報と電源オフ時の処理基板の接続情報とを比較して、処理基板の接続状況が一致しているか否かを判定する。接続状況が一致しているときは、ステップＳＴ２４で、ステップＳＴ２１で取得した電源オフ時の設定情報に基づいて、初期設定コマンドを、システム制御部４０３を通じて、各処理基板に送信する。その後に、ステップＳＴ２５で、システム制御部４０３の処理に移行する。
【０２７３】
上述したステップＳＴ２３で、接続状況が一致していないときは、ステップＳＴ２６に進む。このステップＳＴ２６では、外部メモリスロット１０３に、処理基板の接続変更に伴うアップグレードデータを記憶したアップグレードデータメモリが挿入されているか否かを判定する。当該アップグレードデータメモリが挿入されているときは、ステップＳＴ２７で、アップグレード処理部４０３の処理に移行する。一方、当該アップグレードデータメモリが挿入されていないときは、ステップＳＴ２８で、システム終了処理部４０４の処理に移行する。
【０２７４】
次に、アップグレード処理部４０２の詳細について説明する。図５１は、アップグレード処理部４０２の構成を示している。このアップグレード処理部４０２は、アップグレードデータ読み出し部４２１と、現在処理基板接続情報取得部４２２と、読出先情報・書込先情報変更部４２３と、処理基板アップグレードデータ書き込み部４２４と、制御基板アップグレードデータ書き込み部４２５と、処理基板初期設定部４２６とを有している。
【０２７５】
アップグレードデータ読み出し部４２１は、上述したスタートアップ処理部４０１のアップグレード準備判定部４１５でアップグレード準備が完了していると判定されたとき処理を開始し、外部メモリスロット１０３に挿入されたアップグレードデータメモリから、各処理基板のインタプリタ部１４０内のマッチングテーブルメモリ１４２およびプログラムメモリ１４４に書き込むべきアップグレードデータを読み出すと共に、当該アップグレードデータメモリから、制御基板１０４のプログラムメモリ１２２に書き込むべきアップグレードデータを読み出す。
【０２７６】
接続情報取得部４２２は、上述したスタートアップ処理部４０１のアップグレード準備判定部４１５でアップグレード準備が完了していると判定されたとき処理を開始し、制御バス１０９を通じて、処理基板スロット１０２ａ〜１０２ｄの一部または全部に挿入されている処理基板の基板種別ＩＤを得ることで、処理基板スロット１０２ａ〜１０２ｄに対する現在の処理基板の接続情報を取得する。
【０２７７】
読出先情報・書込先情報変更部４２３は、接続情報取得部４２２で取得された現在の処理基板の接続情報に基づいて、読み出し部４２１で読み出されたアップグレードデータのうち、各処理基板のインタプリタ部１４０内のマッチングテーブルメモリ１４２に書き込むべきデータの書き込み先情報および読み出し先情報（基板種別ＩＤで表されている）を、各スロットにおける現在の処理基板の接続状態と一致するように書き換える。
【０２７８】
データ書き込み部４２４は、変更部４２３で書き込み先情報および読み出し先情報の書き換えが行われた後に、各処理基板のアップグレードデータを、制御バス１０９を介して、各処理基板のインタプリタ部１４０内のマッチングテーブルメモリ１４２およびプログラムメモリ１４４に書き込む。データ書き込み部４２５は、データ書き込み部４２４の書き込みの後に、制御基板１０４のアップグレードデータをプログラムメモリ１２２に書き込む。
【０２７９】
処理基板初期設定部４２６は、データ書き込み部４２５の書き込みの後に、不揮発性メモリ１２３に記憶されている電源オフ時の設定情報を読み出し、当該設定情報に基づいて、各基板に、システム制御部４０３を通じて、初期設定のための基板間コマンド（初期設定コマンド）を送信する。これにより、入力基板１０６および出力基板１０７の選択状態およびステートが、電源オフ時の状態に設定される。この初期設定部４２６による初期設定の後に、システム制御部４０３の処理が開始される。
【０２８０】
上述したアップグレード処理部４０２の動作を、図５２のフローチャートを用いて、説明する。
【０２８１】
処理が開始されると、ステップＳＴ３１で、外部メモリスロット１０３に挿入されたアップグレードデータメモリから、各処理基板に書き込むべきアップグレードデータおよび制御基板１０４に書き込むべきアップグレードデータを読み出す。そして、ステップＳＴ３２で、処理基板スロット１０２ａ〜１０２ｄの一部または全部に挿入されている処理基板の基板種別ＩＤを得ることで、現在の処理基板の接続情報を取得する。
【０２８２】
次に、ステップＳＴ３３で、現在の処理基板の接続情報に基づいて、各処理基板に書き込むべきアップグレードデータの書き込み先情報および読み出し先情報を、各スロットにおける現在の処理基板の接続状態と一致するように書き換える。
【０２８３】
そして、ステップＳＴ３４で、ステップＳＴ３１で読み出され、ステップＳＴ３３で読み出し先情報および書き込み先情報が書き換えられた、各処理基板のアップグレードデータを、各処理基板のインタプリタ部１４０内のマッチングテーブルメモリ１４２およびプログラムメモリ１４４に書き込む。
【０２８４】
また、ステップＳＴ３５で、ステップＳＴ３１で読み出された、制御基板１０４のアップグレードデータを、プログラムメモリ１２２に書き込む。そして、ステップＳＴ３６で、不揮発性メモリ１２３から電源オフ時の設定情報を読み出し、この設定情報に基づいて、初期設定コマンドを、システム制御部４０３を通じて、各処理基板に送信する。その後に、ステップＳＴ３７で、システム制御部４０３の処理に移行する。
【０２８５】
次に、システム制御部４０３の詳細について説明する。図５３は、システム制御部４０３の構成を示している。このシステム制御部４０３は、システムステート管理部４３１と、基板間コマンド発生部４３２とを有している。
【０２８６】
システムステート管理部４３１は、リモコン１１０からのリモコン信号を受信した場合、プログラムメモリ１２２に記憶されている、リモコン１１０のボタンと基板間コマンドとの対応関係を示すテーブルおよびステート遷移情報（ステート遷移図）を参照し、当該リモコン信号に対応した制御をする。すなわち、システムステート管理部４３１は、リモコン信号がシステム終了処理に遷移するためのリモコン信号でないときは、そのリモコン信号に対応した基板間コマンドを発生するように、基板間コマンド発生部４３２を制御する。
【０２８７】
また、このシステムステート管理部４３１は、リモコン信号がシステム終了処理に遷移するためのリモコン信号であるときは、システム終了を示す基板間コマンド、つまりSYS_OUTPUT(0)を発生するように、基板間コマンド発生部４３２を制御する。このとき、システム終了処理部４０４の処理が開始される。
【０２８８】
なお、システムステート管理部４３１は、さらに、表示器１０５に、ステート情報やリモコンの操作情報を供給するようにしてもよい。これにより、表示器１０５に、現在のステートや操作内容を表示できる。
【０２８９】
基板間コマンド発生部４３２は、システムステート管理部４３１の制御のもと、所定の基板間コマンドを発生し、制御バスインタフェース１２５を通じて、制御バス１０９に送出する。
【０２９０】
上述したシステム制御部４０３の動作を、図５４のフローチャートを用いて、説明する。
【０２９１】
処理が開始されると、ステップＳＴ４１で、リモコン１１０からリモコン信号を受信したか否かを判定する。リモコン信号を受信したときは、ステップＳＴ４２で、プログラムメモリ１２２に記憶されているリモコン１３０のボタンと基板間コマンドとの対応関係を示すテーブルに基づいて、そのリモコン信号がシステム終了処理に遷移するためのリモコン信号であるか否かを判定する。
【０２９２】
システム終了処理に遷移するためのリモコン信号でないときは、ステップＳＴ４３で、プログラムメモリ１２２に記憶されているリモコン１３０のボタンと基板間コマンドとの対応関係を示すテーブルおよびステート遷移情報に基づいて、リモコン信号に対応した基板間コマンドを発生し、制御バス１０９を介して、各処理基板に送信する。この場合、ステートの遷移が生じるときは、ステートを遷移させる。またこの場合、ステート情報やリモコンの操作情報を表示器１０５に供給し、当該表示器１０５に現在のステートやリモコン１１０による操作内容を表示させる。
【０２９３】
このステップＳＴ４３の処理の後にステップＳＴ４１に戻り、次のリモコン信号を受信する状態に移行する。
【０２９４】
また、ステップＳＴ４２で、システム終了処理に遷移するためのリモコン信号であるときは、ステップＳＴ４４で、システム制御部４０３の処理に移行する。この場合、SYS_OUTPUT(0)の基板間コマンドを発生する。
【０２９５】
次に、システム終了処理部４０４の詳細について説明する。図５５は、システム終了処理部４０４の構成を示している。このシステム終了処理部４０４は、現在処理基板接続情報取得部４４１と、不揮発性メモリ書き込み部４４２とを有している。
【０２９６】
接続情報取得部４４１は、スタートアップ処理部４０１のアップグレード準備判定部４１５でアップグレード準備が完了していないと判定されるとき、あるいはシステム制御部４０３からSYS_OUTPUT(0)の基板間コマンドが発生されるとき、処理を開始し、制御バス１０９を通じて、処理基板スロット１０２ａ〜１０２ｄの一部または全部に挿入されている処理基板の基板種別ＩＤを得ることで、処理基板スロット１０２ａ〜１０２ｄに対する現在の処理基板の接続情報を取得する。
【０２９７】
不揮発性メモリ書き込み部４４２は、接続情報取得部４４１で取得された現在の処理基板の接続情報と、現在のシステムの設定情報（例えば入力基板１０６、出力基板１０７における選択情報およびステート情報など）を、電源オフ時の設定情報として不揮発性メモリ１２３に書き込み、その後にシステムの電源をオフにする。
【０２９８】
上述したシステム終了処理部４０４の動作を、図５６のフローチャートを用いて、説明する。
処理が開始されると、ステップＳＴ５１で、処理基板スロット１０２ａ〜１０２ｄに対する現在の処理基板の接続情報を取得し、この現在の処理基板の接続情報と、現在の設定情報を不揮発性メモリ１２３に書き込む。そして、ステップＳＴ５２で、システムの電源をオフにする。
【０２９９】
図１に示す画像信号処理装置１００における各アップグレードステージの動作を説明する。
なお、上述したように、制御基板１０４は、電源オン時に現在の処理基板の接続情報を取得し、その接続情報が電源オフ時の接続情報と異なるとき、制御基板１０４のプログラムメモリ１２２と、各処理基板のインタプリタ部１４０内のマッチングテーブルメモリ１４２およびプログラムメモリ１４４にアップグレードデータを書き込み、その後に各基板に初期設定コマンドを送信する。ここでは、このアップグレードデータの書き込み動作に関する説明は省略する。
【０３００】
まず、アップグレードステージ１の動作を説明する。ここでは、図１１に示すように、処理基板スロット１０２ａ（スロットＡ）に高画質化処理基板１１１が挿入されている基板挿入例について説明する。
【０３０１】
この場合、制御基板１０４のプログラムメモリ１２２には、図２４に示すステート遷移図が記憶されている。また、高画質化処理基板１１１のインタプリタ部１４０内のマッチングテーブルメモリ１４２およびプログラムメモリ１４４には、図２３に示すデータが記憶されている。
【０３０２】
電源がオンとされると、制御基板１０４ではスタートアップルーチンの動作が開始される。そして、制御基板１０４から制御バス１０９を介して、入力基板１０６、出力基板１０７および高画質化処理基板１１１に、初期設定コマンドが送信される。これにより、入力基板１０６および出力基板１０７は電源オフ時の選択状態となると共に、高画質化処理基板１１１のみからなる高画質化ステートの処理系となる。
【０３０３】
この高画質化ステートの処理系では、図２３のマッチングテーブルメモリ１４４に記憶されている内容から、高画質化処理基板１１１の読み出し先情報が「システム入力」であり、その書き込み先情報が「システム出力」であるため、画像信号の流れは、図５７に示すようになる。つまり、入力基板１０６からの画像信号Ｖinは共有メモリ１０８のシステム入力領域を通じて高画質化処理基板１１１に供給される。そして、この高画質化処理基板１１１で高画質化処理された後の画像信号Ｖoutは共有メモリ１０８のシステム出力領域を介して出力基板１０７に供給される。
【０３０４】
この高画質化ステートでは、図２４のステート遷移図に基づき、制御基板１０４は、ユーザのリモコン操作に応じて、MF_VOL_X(val)、MF_VOL_Y(val)、SYS_INPUT(val)、SYS_OUTPUT(val)の基板間コマンドを、制御バス１０９を介して、各基板に送信できる。これにより、入力基板１０６の選択状態、出力基板１０７の選択状態、高画質化処理基板１１１の解像度パラメータ値、ノイズパラメータ値などが変更される。
【０３０５】
また、高画質化ステートで、システム終了のリモコン操作があるときは、制御基板１０４はSYS_OUTPUT(0)の基板間コマンドを発生し、システム終了ルーチンの動作を開始する。この場合、制御基板１０４は、現在の処理基板の接続情報を取得し、この接続情報と、現在の設定情報（例えば入力基板１０６、出力基板１０７における選択情報およびステート情報など）とを、不揮発性メモリ１２３に書き込み、その後にシステムの電源をオフとする。
【０３０６】
次に、アップグレードステージ２ａの動作を説明する。ここでは、図１３に示すように、処理基板スロット１０２ａ（スロットＡ）に高画質化処理基板１１１が挿入され、処理基板スロット１０２ｃ（スロットＣ）にノイズ除去処理基板１１３が挿入されている基板挿入例について説明する。
【０３０７】
この場合、制御基板１０４のプログラムメモリ１２２には、図２７に示すステート遷移図が記憶されている。また、高画質化処理基板１１１のインタプリタ部１４０内のマッチングテーブルメモリ１４２およびプログラムメモリ１４４には、図２５に示すデータが記憶されている。また、ノイズ除去処理基板１１３のインタプリタ部１４０内のマッチングテーブルメモリ１４２およびプログラムメモリ１４４には、図２６に示すデータが記憶されている。
【０３０８】
電源がオンとされると、制御基板１０４ではスタートアップルーチンの動作が開始される。そして、制御基板１０４から、制御バス１０９を介して、入力基板１０６、出力基板１０７、高画質化処理基板１１１およびノイズ処理基板１１３に、初期設定コマンドが送信される。これにより、入力基板１０６および出力基板１０７は電源オフ時の選択状態となると共に、電源オフ時のステート（高画質化ステートまたはノイズ除去ステート）の処理系となる。
【０３０９】
高画質化ステートの処理系では、図２５のマッチングテーブルメモリ１４４に記憶されている内容から、高画質化処理基板１１１の読み出し先情報が「システム入力」であり、その書き込み先情報が「システム出力」であるため、画像信号の流れは、図５８に示すようになる。つまり、入力基板１０６からの画像信号Ｖinは共有メモリ１０８のシステム入力領域を通じて高画質化処理基板１１１に供給される。そして、この高画質化処理基板１１１で高画質化処理された後の画像信号Ｖoutは共有メモリ１０８のシステム出力領域を介して出力基板１０７に供給される。
【０３１０】
この高画質化ステートでは、図２７のステート遷移図に基づき、制御基板１０４は、ユーザのリモコン操作に応じて、MF_VOL_X(val)、MF_VOL_Y(val)、SYS_INPUT(val)、SYS_OUTPUT(val)、MPEG_NR(val)の基板間コマンドを、制御バス１０９を介して、各基板に送信できる。これにより、入力基板１０６の選択状態、出力基板１０７の選択状態、高画質化処理基板１１１の解像度パラメータ値、ノイズパラメータ値、ノイズ除去処理基板１１３のノイズ除去強度パラメータ値などが変更される。なお、MPEG_NR(val)の基板間コマンドが発生されるとき、高画質化ステートからノイズ除去ステートに遷移する。
【０３１１】
ノイズ除去ステートの処理系では、図２５、図２６のマッチングテーブルメモリ１４４に記憶されている内容から、高画質化処理基板１１１の読み出し先情報が「スロットＣ出力」であり、その書き込み先情報が「システム出力」であると共に、ノイズ除去処理基板１１３の読み出し先情報が「システム入力」であり、その書き込み先情報が「スロットＣ出力」であるため、画像信号の流れは、図５９に示すようになる。つまり、入力基板１０６からの画像信号Ｖinは共有メモリ１０８のシステム入力領域を通じてノイズ除去処理基板１１３に供給される。このノイズ除去処理基板１１３でノイズ除去処理された後の画像信号は共有メモリ１０８のスロットＣ出力領域を介して高画質化処理基板１１１に供給される。そして、この高画質化処理基板１１１で高画質化処理された後の画像信号Ｖoutは共有メモリ１０８のシステム出力領域を介して出力基板１０７に供給される。
【０３１２】
このノイズ除去ステートでは、図２７のステート遷移図に基づき、制御基板１０４は、ユーザのリモコン操作に応じて、MPEG_NR(val)、SYS_INPUT(val)、SYS_OUTPUT(val)、MF_VOL_X(val)、MF_VOL_Y(val)の基板間コマンドを、制御バス１０９を介して、各基板に送信できる。これにより、入力基板１０６の選択状態、出力基板１０７の選択状態、ノイズ除去処理基板１１３のノイズ除去強度パラメータ値、高画質化処理基板１１１の解像度パラメータ値、ノイズパラメータ値などが変更される。なお、MF_VOL_X(val)またはMF_VOL_Y(val)の基板間コマンドが発生されるとき、ノイズ除去ステートから高画質化ステートに遷移する。
【０３１３】
また、高画質化ステートまたはノイズ除去ステートで、システム終了のリモコン操作があるときは、制御基板１０４は、SYS_OUTPUT(0)の基板間コマンドを発生し、システム終了ルーチンの動作を開始する。この場合、制御基板１０４は、現在の処理基板の接続情報を取得し、この接続情報と、現在の設定情報（例えば入力基板１０６、出力基板１０７における選択情報およびステート情報など）とを、不揮発性メモリ１２３に書き込み、その後にシステムの電源をオフとする。
【０３１４】
次に、アップグレードステージ２ｂの動作を説明する。ここでは、図１５に示すように、処理基板スロット１０２ａ（スロットＡ）に高画質化処理基板１１１が挿入され、処理基板スロット１０２ｄ（スロットＤ）に時間方向高密度化処理基板１１４が挿入されている基板挿入例について説明する。
【０３１５】
この場合、制御基板１０４のプログラムメモリ１２２には、図３０に示すステート遷移図が記憶されている。また、高画質化処理基板１１１のインタプリタ部１４０内のマッチングテーブルメモリ１４２およびプログラムメモリ１４４には、図２８に示すデータが記憶されている。また、時間方向高密度化処理基板１１４のインタプリタ部１４０内のマッチングテーブルメモリ１４２およびプログラムメモリ１４４には、図２９に示すデータが記憶されている。
【０３１６】
電源がオンとされると、制御基板１０４ではスタートアップルーチンの動作が開始される。そして、制御基板１０４から、制御バス１０９を介して、入力基板１０６、出力基板１０７、高画質化処理基板１１１および時間方向高密度化処理基板１１４に、初期設定コマンドが送信される。これにより、入力基板１０６および出力基板１０７は電源オフ時の選択状態となると共に、電源オフ時のステート（高画質化ステートまたは時間方向高密度化ステート）の処理系となる。
【０３１７】
高画質化ステートの処理系では、図２８のマッチングテーブルメモリ１４４に記憶されている内容から、高画質化処理基板１１１の読み出し先情報が「システム入力」であり、その書き込み先情報が「システム出力」であるため、画像信号の流れは、図６０に示すようになる。つまり、入力基板１０６からの画像信号Ｖinは共有メモリ１０８のシステム入力領域を通じて高画質化処理基板１１１に供給される。そして、この高画質化処理基板１１１で高画質化処理された後の画像信号Ｖoutは共有メモリ１０８のシステム出力領域を介して出力基板１０７に供給される。
【０３１８】
この高画質化ステートでは、図３０のステート遷移図に基づき、制御基板１０４は、ユーザのリモコン操作に応じて、MF_VOL_X(val)、MF_VOL_Y(val)、SYS_INPUT(val)、SYS_OUTPUT(val)、MFvx_CRFM(val)の基板間コマンドを、制御バス１０９を介して、各基板に送信できる。これにより、入力基板１０６の選択状態、出力基板１０７の選択状態、高画質化処理基板１１１の解像度パラメータ値、ノイズパラメータ値、時間方向高密度化処理基板１１４の単位時間当たりのフレーム数などが変更される。なお、MFvx_CRFM(val)の基板間コマンドが発生されるとき、高画質化ステートから時間方向高密度化ステートに遷移する。
【０３１９】
時間方向高密度化ステートの処理系では、図２８、図２９のマッチングテーブルメモリ１４４に記憶されている内容から、高画質化処理基板１１１の読み出し先情報が「スロットＤ出力」であり、その書き込み先情報が「システム出力」であると共に、時間方向高密度化処理基板１１４の読み出し先情報が「システム入力」であり、その書き込み先情報が「スロットＤ出力」であるため、画像信号の流れは、図６１に示すようになる。つまり、入力基板１０６からの画像信号Ｖinは共有メモリ１０８のシステム入力領域を通じて時間方向高密度化処理基板１１４に供給される。この時間方向高密度化処理基板１１４で時間方向高密度化処理された後の画像信号は共有メモリ１０８のスロットＤ出力領域を介して高画質化処理基板１１１に供給される。そして、この高画質化処理基板１１１で高画質化処理された後の画像信号Ｖoutは共有メモリ１０８のシステム出力領域を介して出力基板１０７に供給される。
【０３２０】
この時間方向高密度化ステートでは、図３０のステート遷移図に基づき、制御基板１０４は、ユーザのリモコン操作に応じて、MFvx_VOL_X(val)、MFvx_VOL_Y(val)、MFvx_CRFM、SYS_INPUT(val)、SYS_OUTPUT(val)、MF_VOL_X(val)、MF_VOL_Y(val)の基板間コマンドを、制御バス１０９を介して、各基板に送信できる。これにより、入力基板１０６の選択状態、出力基板１０７の選択状態、時間方向高密度化処理基板１１４の単位時間当たりのフレーム数、高画質化処理基板１１１の解像度パラメータ値、ノイズパラメータ値などが変更される。なお、MF_VOL_X(val)またはMF_VOL_Y(val)の基板間コマンドが発生されるとき、時間方向高密度化ステートから高画質化ステートに遷移する。
【０３２１】
また、高画質化ステートまたはノイズ除去ステートで、システム終了のリモコン操作があるときは、制御基板１０４は、SYS_OUTPUT(0)の基板間コマンドを発生し、システム終了ルーチンの動作を開始する。この場合、制御基板１０４は、現在の処理基板の接続情報を取得し、この接続情報と、現在の設定情報（例えば入力基板１０６、出力基板１０７における選択情報およびステート情報など）とを、不揮発性メモリ１２３に書き込み、その後にシステムの電源をオフとする。
【０３２２】
次に、アップグレードステージ３の動作を説明する。ここでは、図１７に示すように、処理基板スロット１０２ａ（スロットＡ）に高画質化処理基板１１１が挿入され、処理基板スロット１０２ｃ（スロットＣ）にノイズ除去処理基板１１３が挿入され、処理基板スロット１０２ｄ（スロットＤ）に時間方向高密度化処理基板１１４が挿入されている基板挿入例について説明する。
【０３２３】
この場合、制御基板１０４のプログラムメモリ１２２には、図３４に示すステート遷移図が記憶されている。また、高画質化処理基板１１１のインタプリタ部１４０内のマッチングテーブルメモリ１４２およびプログラムメモリ１４４には、図３１に示すデータが記憶されている。また、ノイズ除去処理基板１１３のインタプリタ部１４０内のマッチングテーブルメモリ１４２およびプログラムメモリ１４４には、図３２に示すデータが記憶されている。また、時間方向高密度化処理基板１１４のインタプリタ部１４０内のマッチングテーブルメモリ１４２およびプログラムメモリ１４４には、図３３に示すデータが記憶されている。
【０３２４】
電源がオンとされると、制御基板１０４ではスタートアップルーチンの動作が開始される。そして、制御基板１０４から、制御バス１０９を介して、入力基板１０６、出力基板１０７、高画質化処理基板１１１、ノイズ除去処理基板１１３および時間方向高密度化処理基板１１４に、初期設定コマンドが送信される。これにより、入力基板１０６および出力基板１０７は電源オフ時の選択状態となると共に、電源オフ時のステート（高画質化ステート、ノイズ除去ステートまたは時間方向高密度化ステート）の処理系となる。
【０３２５】
高画質化ステートの処理系では、図３１のマッチングテーブルメモリ１４４に記憶されている内容から、高画質化処理基板１１１の読み出し先情報が「システム入力」であり、その書き込み先情報が「システム出力」であるため、画像信号の流れは、図６２に示すようになる。つまり、入力基板１０６からの画像信号Ｖinは共有メモリ１０８のシステム入力領域を通じて高画質化処理基板１１１に供給される。そして、この高画質化処理基板１１１で高画質化処理された後の画像信号Ｖoutは共有メモリ１０８のシステム出力領域を介して出力基板１０７に供給される。
【０３２６】
この高画質化ステートでは、図３４のステート遷移図に基づき、制御基板１０４は、ユーザのリモコン操作に応じて、MF_VOL_X(val)、MF_VOL_Y(val)、SYS_INPUT(val)、SYS_OUTPUT(val)、MPEG_NR(val)、MFvx_CRFM(val)の基板間コマンドを、制御バス１０９を介して、各基板に送信できる。これにより、入力基板１０６の選択状態、出力基板１０７の選択状態、高画質化処理基板１１１の解像度パラメータ値、ノイズパラメータ値、ノイズ除去処理基板１１３のノイズ除去強度パラメータ値、時間方向高密度化処理基板１１４の単位時間当たりのフレーム数などが変更される。なお、MPEG_NR(val)の基板間コマンドが発生されるとき、高画質化ステートからノイズ除去ステートに遷移する。また、MFvx_CRFM(val)の基板間コマンドが発生されるとき、高画質化ステートから時間方向高密度化ステートに遷移する。
【０３２７】
ノイズ除去ステートの処理系では、図３１、図３２のマッチングテーブルメモリ１４４に記憶されている内容から、高画質化処理基板１１１の読み出し先情報が「スロットＣ出力」であり、その書き込み先情報が「システム出力」であると共に、ノイズ除去処理基板１１３の読み出し先情報が「システム入力」であり、その書き込み先情報が「スロットＣ出力」であるため、画像信号の流れは、図６３に示すようになる。つまり、入力基板１０６からの画像信号Ｖinは共有メモリ１０８のシステム入力領域を通じてノイズ除去処理基板１１３に供給される。このノイズ除去処理基板１１３でノイズ除去処理された後の画像信号は共有メモリ１０８のスロットＣ出力領域を介して高画質化処理基板１１１に供給される。そして、この高画質化処理基板１１１で高画質化処理された後の画像信号Ｖoutは共有メモリ１０８のシステム出力領域を介して出力基板１０７に供給される。
【０３２８】
このノイズ除去ステートでは、図３４のステート遷移図に基づき、制御基板１０４は、ユーザのリモコン操作に応じて、MPEG_NR(val)、SYS_INPUT(val)、SYS_OUTPUT(val)、MFvx_CRFM(val)、MF_VOL_X(val)、MF_VOL_Y(val)の基板間コマンドを、制御バス１０９を介して、各基板に送信できる。これにより、入力基板１０６の選択状態、出力基板１０７の選択状態、ノイズ除去処理基板１１３のノイズ除去強度パラメータ値、時間方向高密度化処理基板１１４の単位時間当たりのフレーム数、高画質化処理基板１１１の解像度パラメータ値、ノイズパラメータ値などが変更される。なお、MFvx_CRFM(val)の基板間コマンドが発生されるとき、ノイズ除去ステートから時間方向高密度化ステートに遷移する。また、MF_VOL_X(val)またはMF_VOL_Y(val)の基板間コマンドが発生されるとき、ノイズ除去ステートから高画質化ステートに遷移する。
【０３２９】
時間方向高密度化ステートの処理系では、図３１〜図３３のマッチングテーブルメモリ１４４に記憶されている内容から、高画質化処理基板１１１の読み出し先情報が「スロットＤ出力」であり、その書き込み先情報が「システム出力」であり、ノイズ除去処理基板１１３の読み出し先情報が「システム入力」であり、その書き込み先情報が「スロットＣ出力」であり、さらに時間方向高密度化処理基板１１４の読み出し先情報が「スロットＣ出力」であり、その書き込み先情報が「スロットＤ出力」であるため、画像信号の流れは、図６４に示すようになる。
【０３３０】
つまり、入力基板１０６からの画像信号Ｖinは共有メモリ１０８のシステム入力領域を通じてノイズ除去処理基板１１３に供給される。このノイズ除去処理基板１１３でノイズ除去処理された後の画像信号は共有メモリ１０８のスロットＣ出力領域を介して時間方向高密度化処理基板１１４に供給される。この時間方向高密度化処理基板１１４で時間方向高密度化処理された後の画像信号は共有メモリ１０８のスロットＤ出力領域を介して高画質化処理基板１１１に供給される。そして、この高画質化処理基板１１１で高画質化処理された後の画像信号Ｖoutは共有メモリ１０８のシステム出力領域を介して出力基板１０７に供給される。
【０３３１】
この時間方向高密度化ステートでは、図３４のステート遷移図に基づき、制御基板１０４は、ユーザのリモコン操作に応じて、MFvx_VOL_X(val)、MFvx_VOL_Y(val)、MFvx_CRFM、SYS_INPUT(val)、SYS_OUTPUT(val)、MF_VOL_X(val)、MF_VOL_Y(val)、MPEG_NR(val)の基板間コマンドを、制御バス１０９を介して、各基板に送信できる。これにより、入力基板１０６の選択状態、出力基板１０７の選択状態、時間方向高密度化処理基板１１４の単位時間当たりのフレーム数、高画質化処理基板１１１の解像度パラメータ値、ノイズパラメータ値、ノイズ除去処理基板１１３のノイズ除去強度パラメータ値などが変更される。なお、MF_VOL_X(val)またはMF_VOL_Y(val)の基板間コマンドが発生されるとき、時間方向高密度化ステートから高画質化ステートに遷移する。また、MPEG_NR(val)の基板間コマンドが発生されるとき、時間方向高密度化ステートからノイズ除去ステートに遷移する。
【０３３２】
また、高画質化ステート、ノイズ除去ステートまたは時間方向高密度化ステートで、システム終了のリモコン操作があるときは、制御基板１０４は、SYS_OUTPUT(0)の基板間コマンドを発生し、システム終了ルーチンの動作を開始する。この場合、制御基板１０４は、現在の処理基板の接続情報を取得し、この接続情報と、現在の設定情報（例えば入力基板１０６、出力基板１０７における選択情報およびステート情報など）とを、不揮発性メモリ１２３に書き込み、その後にシステムの電源をオフとする。
【０３３３】
図６５は、上述したアップグレードステージ３における基板間コマンドによるステート遷移の一例を示している。
【０３３４】
［０］スタートアップルーチンでは、SYS_INPUT(3)、SYS_OUTPUT(1)の基板間コマンドが発生され、入力基板１０６では電源オフ時に選択されていた入力３が選択され、出力基板１０７では電源オフ時に選択されていた出力１が選択される。また、このスタートアップルーチンでは、MPEG_NR(0)の基板間コマンドが各基板に送信され、電源オフ時のステートであるノイズ除去ステートに設定される。
【０３３５】
［１］次に、ユーザのリモコン操作により、MPEG_NR(50)の基板間コマンドが発生されるとき、ステート遷移することなく、ノイズ除去処理基板１１３のノイズ除去強度パラメータ値が「５０」とされる。
【０３３６】
［２］次に、ユーザのリモコン操作により、MFvx_CRFM(120)の基板間コマンドが発生されるとき、ノイズ除去ステートから時間方向高密度化ステートに遷移し、時間方向高密度化処理基板１１４の単位時間当たりのフレーム数が「１２０」とされる。
【０３３７】
［３］次に、ユーザのリモコン操作により、MFvx_VOL_X(140)の基板間コマンドが発生されるとき、ステート遷移することなく、高画質化処理基板１１１の解像度パラメータ値が「１４０」とされる。
【０３３８】
［４］次に、ユーザのリモコン操作により、MFvx_VOL_Y(25)の基板間コマンドが発生されるとき、ステート遷移することなく、高画質化処理基板１１１のノイズパラメータ値が「２５」とされる。
【０３３９】
［５］次に、ユーザのリモコン操作により、SYS_INPUT(1)の基板間コマンドが発生されるとき、ステート遷移することなく、入力基板１０６では入力１が選択される。
【０３４０】
［６］次に、ユーザのリモコン操作により、MF_VOL_X(80)の基板間コマンドが発生されるとき、時間方向高密度化ステートから高画質化ステートに遷移し、高画質化処理基板１１１の解像度パラメータ値が「８０」とされる。
【０３４１】
［７］次に、ユーザのリモコン操作により、MF_VOL_Y(130)の基板間コマンドが発生されるとき、ステート遷移することなく、高画質化処理基板１１１のノイズパラメータ値が「１３０」とされる。
【０３４２】
［８］次に、ユーザのシステム終了のリモコン操作により、SYS_OUTPUT(0)が発生され、高画質化ステートからシステム終了ルーチンに遷移する。
【０３４３】
次に、アップグレードステージ４の動作を説明する。ここでは、図１９に示すように、処理基板スロット１０２ａ（スロットＡ）に高画質化処理基板１１１が挿入され、処理基板スロット１０２ｂ（スロットＢ）にパネル用処理基板１１２が挿入され、処理基板スロット１０２ｃ（スロットＣ）にノイズ除去処理基板１１３が挿入され、処理基板スロット１０２ｄ（スロットＤ）に時間方向高密度化処理基板１１４が挿入されている基板挿入例について説明する。
【０３４４】
この場合、制御基板１０４のプログラムメモリ１２２には、図３９に示すステート遷移図が記憶されている。また、高画質化処理基板１１１のインタプリタ部１４０内のマッチングテーブルメモリ１４２およびプログラムメモリ１４４には、図３５に示すデータが記憶されている。また、パネル用処理基板１１２のインタプリタ部１４０内のマッチングテーブルメモリ１４２およびプログラムメモリ１４４には、図３６に示すデータが記憶されている。また、ノイズ除去処理基板１１３のインタプリタ部１４０内のマッチングテーブルメモリ１４２およびプログラムメモリ１４４には、図３７に示すデータが記憶されている。また、時間方向高密度化処理基板１１４のインタプリタ部１４０内のマッチングテーブルメモリ１４２およびプログラムメモリ１４４には、図３８に示すデータが記憶されている。
【０３４５】
電源がオンとされると、制御基板１０４ではスタートアップルーチンの動作が開始される。そして、制御基板１０４から、制御バス１０９を介して、入力基板１０６、出力基板１０７、高画質化処理基板１１１、パネル用処理基板１１２、ノイズ除去処理基板１１３および時間方向高密度化処理基板１１４に、初期設定コマンドが送信される。これにより、入力基板１０６および出力基板１０７は電源オフ時の選択状態となると共に、電源オフ時のステート（高画質化ステート、ノイズ除去ステートまたは時間方向高密度化ステート）の処理系となる。
【０３４６】
高画質化ステートの処理系では、図３５、図３６のマッチングテーブルメモリ１４４に記憶されている内容から、高画質化処理基板１１１の読み出し先情報が「システム入力」であり、その書き込み先情報が「スロットＡ出力」であると共に、パネル用処理基板１１２の読み出し先情報が「スロットＡ出力」であり、その書き込み先情報が「システム出力」であるため、画像信号の流れは、図６６に示すようになる。つまり、入力基板１０６からの画像信号Ｖinは共有メモリ１０８のシステム入力領域を通じて高画質化処理基板１１１に供給される。この高画質化処理基板１１１で高画質化処理された後の画像信号は共有メモリ１０８のスロットＡ出力領域を介してパネル用処理基板１１２に供給される。そして、このパネル用処理基板１１２でパネル用処理された後の画像信号Ｖoutは共有メモリ１０８のシステム出力領域を介して出力基板１０７に供給される。
【０３４７】
この高画質化ステートでは、図３９のステート遷移図に基づき、制御基板１０４は、ユーザのリモコン操作に応じて、MF_VOL_X(val)、MF_VOL_Y(val)、SYS_INPUT(val)、SYS_OUTPUT(val)、OUTPUT_DEV(val)、MPEG_NR(val)、MFvx_CRFM(val)の基板間コマンドを、制御バス１０９を介して、各基板に送信できる。これにより、入力基板１０６の選択状態、出力基板１０７の選択状態、高画質化処理基板１１１の解像度パラメータ値、ノイズパラメータ値、パネル用処理基板１１２のパネルの種類、ノイズ除去処理基板１１３のノイズ除去強度パラメータ値、時間方向高密度化処理基板１１４の単位時間当たりのフレーム数などが変更される。なお、MPEG_NR(val)の基板間コマンドが発生されるとき、高画質化ステートからノイズ除去ステートに遷移する。また、MFvx_CRFM(val)の基板間コマンドが発生されるとき、高画質化ステートから時間方向高密度化ステートに遷移する。
【０３４８】
ノイズ除去ステートの処理系では、図３５〜図３７のマッチングテーブルメモリ１４４に記憶されている内容から、高画質化処理基板１１１の読み出し先情報が「スロットＣ出力」であり、その書き込み先情報が「スロットＡ出力」であり、パネル用処理基板１１２の読み出し先情報が「スロットＡ出力」であり、その書き込み先情報が「システム出力」であり、さらにノイズ除去処理基板１１３の読み出し先情報が「システム入力」であり、その書き込み先情報が「スロットＣ出力」であるため、画像信号の流れは、図６７に示すようになる。
【０３４９】
つまり、入力基板１０６からの画像信号Ｖinは共有メモリ１０８のシステム入力領域を介してノイズ除去処理基板１１３に供給される。このノイズ除去処理基板１１３でノイズ除去処理された後の画像信号は共有メモリ１０８のスロットＣ出力領域を介して高画質化処理基板１１１に供給される。この高画質化処理基板１１１で高画質化処理された後の画像信号は共有メモリ１０８のスロットＡ出力領域を介してパネル用処理基板１１２に供給される。そして、このパネル用処理基板１１２でパネル用処理された画像信号Ｖoutは共有メモリ１０８のシステム出力領域を介して出力基板１０７に供給される。
【０３５０】
このノイズ除去ステートでは、図３９のステート遷移図に基づき、制御基板１０４は、ユーザのリモコン操作に応じて、MPEG_NR(val)、SYS_INPUT(val)、SYS_OUTPUT(val)、OUTPUT_DEV(val)、MF_VOL_X(val)、MF_VOL_Y(val)、MFvx_CRFM(val)の基板間コマンドを、制御バス１０９を介して、各基板に送信できる。これにより、入力基板１０６の選択状態、出力基板１０７の選択状態、ノイズ除去処理基板１１３のノイズ除去強度パラメータ値、パネル用処理基板１１２のパネルの種類、高画質化処理基板１１１の解像度パラメータ値、ノイズパラメータ値、時間方向高密度化処理基板１１４の単位時間当たりのフレーム数などが変更される。なお、MF_VOL_X(val)またはMF_VOL_Y(val)の基板間コマンドが発生されるとき、ノイズ除去ステートから高画質化ステートに遷移する。また、MFvx_CRFM(val)の基板間コマンドが発生されるとき、ノイズ除去ステートから時間方向高密度化ステートに遷移する。
【０３５１】
時間方向高密度化ステートの処理系では、図３５〜図３８のマッチングテーブルメモリ１４４に記憶されている内容から、高画質化処理基板１１１の読み出し先情報が「スロットＤ出力」であり、その書き込み先情報が「スロットＡ出力」であり、パネル用処理基板１１２の読み出し先情報が「スロットＡ出力」であり、その書き込み先情報が「システム出力」であり、ノイズ除去処理基板１１３の読み出し先情報が「システム入力」であり、その書き込み先情報が「スロットＣ出力」であり、さらに時間方向高密度化処理基板１１４の読み出し先情報が「スロットＣ出力」であり、その書き込み先情報が「スロットＤ出力」であるため、画像信号の流れは、図６８に示すようになる。
【０３５２】
つまり、入力基板１０６からの画像信号Ｖinは共有メモリ１０８のシステム入力領域を通じてノイズ除去処理基板１１３に供給される。このノイズ除去処理基板１１３でノイズ除去処理された後の画像信号は共有メモリ１０８のスロットＣ出力領域を介して時間方向高密度化処理基板１１４に供給される。この時間方向高密度化処理基板１１４で時間方向高密度化処理された後の画像信号は共有メモリ１０８のスロットＤ出力領域を介して高画質化処理基板１１１に供給される。そして、この高画質化処理基板１１１で高画質化処理された後の画像信号は共有メモリ１０８のスロットＡ出力領域を介してパネル用処理基板１１２に供給される。そして、このパネル用処理基板１１２でパネル用処理された後の画像信号Ｖoutは共有メモリ１０８のシステム出力領域を介して出力基板１０７に供給される。
【０３５３】
この時間方向高密度化ステートでは、図３９のステート遷移図に基づき、制御基板１０４は、ユーザのリモコン操作に応じて、MFvx_VOL_X(val)、MFvx_VOL_Y(val)、MFvx_CRFM、SYS_INPUT(val)、SYS_OUTPUT(val)、OUTPUT_DEV(val)、MF_VOL_X(val)、MF_VOL_Y(val)、MPEG_NR(val)の基板間コマンドを、制御バス１０９を介して、各基板に送信できる。これにより、入力基板１０６の選択状態、出力基板１０７の選択状態、時間方向高密度化処理基板１１４の単位時間当たりのフレーム数、パネル用処理基板１１２のパネルの種類、高画質化処理基板１１１の解像度パラメータ値、ノイズパラメータ値、ノイズ除去処理基板１１３のノイズ除去強度パラメータ値などが変更される。なお、MF_VOL_X(val)またはMF_VOL_Y(val)の基板間コマンドが発生されるとき、時間方向高密度化ステートから高画質化ステートに遷移する。また、MPEG_NR(val)の基板間コマンドが発生されるとき、時間方向高密度化ステートからノイズ除去ステートに遷移する。
【０３５４】
また、高画質化ステート、ノイズ除去ステートまたは時間方向高密度化ステートで、システム終了のリモコン操作があるときは、制御基板１０４は、SYS_OUTPUT(0)の基板間コマンドを発生し、システム終了ルーチンの動作を開始する。この場合、制御基板１０４は、現在の処理基板の接続情報を取得し、この接続情報と、現在の設定情報（例えば入力基板１０６、出力基板１０７における選択情報およびステート情報など）とを、不揮発性メモリ１２３に書き込み、その後にシステムの電源をオフとする。
【０３５５】
次に、アップグレードステージ５の動作を説明する。ここでは、図２１に示すように、処理基板スロット１０２ａ（スロットＡ）に高画質化処理基板１１１が挿入され、処理基板スロット１０２ｂ（スロットＢ）に統合高画質化処理基板１１５が挿入され、処理基板スロット１０２ｃ（スロットＣ）にノイズ除去処理基板１１３が挿入され、処理基板スロット１０２ｄ（スロットＤ）に時間方向高密度化処理基板１１４が挿入されている基板挿入例について説明する。
【０３５６】
この場合、制御基板１０４のプログラムメモリ１２２には、図４４に示すステート遷移図が記憶されている。また、高画質化処理基板１１１のインタプリタ部１４０内のマッチングテーブルメモリ１４２およびプログラムメモリ１４４には、図４０に示すデータが記憶されている。また、ノイズ除去処理基板１１３のインタプリタ部１４０内のマッチングテーブルメモリ１４２およびプログラムメモリ１４４には、図４１に示すデータが記憶されている。また、時間方向高密度化処理基板１１４のインタプリタ部１４０内のマッチングテーブルメモリ１４２およびプログラムメモリ１４４には、図４２に示すデータが記憶されている。また、統合高画質化処理基板１１５のインタプリタ部１４０内のマッチングテーブルメモリ１４２およびプログラムメモリ１４４には、図４３に示すデータが記憶されている。
【０３５７】
電源がオンとされると、制御基板１０４ではスタートアップルーチンの動作が開始される。そして、制御基板１０４から、制御バス１０９を介して、入力基板１０６、出力基板１０７、高画質化処理基板１１１、ノイズ除去処理基板１１３、時間方向高密度化処理基板１１４および統合高画質化処理基板１１５に、初期設定コマンドが送信される。これにより、入力基板１０６および出力基板１０７は電源オフ時の選択状態となると共に、電源オフ時のステート（高画質化ステート、ノイズ除去ステート、時間方向高密度化ステートまたは統合高画質化ステート）の処理系となる。
【０３５８】
高画質化ステートの処理系では、図４０、図４３のマッチングテーブルメモリ１４４に記憶されている内容から、高画質化処理基板１１１の読み出し先情報が「システム入力」であり、その書き込み先情報が「スロットＡ出力」であると共に、統合高画質化処理基板１１５の読み出し先情報が「スロットＡ出力」であり、その書き込み先情報が「システム出力」であるため、画像信号の流れは、図６９に示すようになる。
【０３５９】
つまり、入力基板１０６からの画像信号Ｖinは共有メモリ１０８のシステム入力領域を通じて高画質化処理基板１１１に供給される。この高画質化処理基板１１１で高画質化処理された後の画像信号は共有メモリ１０８のスロットＡ出力領域を介して統合高画質化処理基板１１５に供給される。そして、この統合高画質化処理基板１１５でパネル用処理された後の画像信号Ｖoutは共有メモリ１０８のシステム出力領域を介して出力基板１０７に供給される。
【０３６０】
この高画質化ステートでは、図４４のステート遷移図に基づき、制御基板１０４は、ユーザのリモコン操作に応じて、MF_VOL_X(val)、MF_VOL_Y(val)、SYS_INPUT(val)、SYS_OUTPUT(val)、OUTPUT_DEV(val)、MPEG_NR(val)、MFvx_CRFM(val)、MFvy_PDの基板間コマンドを、制御バス１０９を介して、各基板に送信できる。これにより、入力基板１０６の選択状態、出力基板１０７の選択状態、高画質化処理基板１１１の解像度パラメータ値、ノイズパラメータ値、統合高画質化処理基板１１５のパネルの種類、統合高画質化パラメータ値、ノイズ除去処理基板１１３のノイズ除去強度パラメータ値、時間方向高密度化処理基板１１４の単位時間当たりのフレーム数などが変更される。
【０３６１】
なお、MPEG_NR(val)の基板間コマンドが発生されるとき、高画質化ステートからノイズ除去ステートに遷移する。また、MFvx_CRFM(val)の基板間コマンドが発生されるとき、高画質化ステートから時間方向高密度化ステートに遷移する。また、MFvy_PDの基板間コマンドが発生されるとき、高画質化ステートから統合高画質化ステートに遷移する。
【０３６２】
ノイズ除去ステートの処理系では、図４０、図４１、図４３のマッチングテーブルメモリ１４４に記憶されている内容から、高画質化処理基板１１１の読み出し先情報が「スロットＣ出力」であり、その書き込み先情報が「スロットＡ出力」であり、ノイズ除去処理基板１１３の読み出し先情報が「システム入力」であり、その書き込み先情報が「スロットＣ出力」であり、さらに統合高画質化処理基板１１５の読み出し先情報が「スロットＡ出力」であり、その書き込み先情報が「システム出力」であるため、画像信号の流れは、図７０に示すようになる。
【０３６３】
つまり、入力基板１０６からの画像信号Ｖinは共有メモリ１０８のシステム入力領域を介してノイズ除去処理基板１１３に供給される。このノイズ除去処理基板１１３でノイズ除去処理された後の画像信号は共有メモリ１０８のスロットＣ出力領域を介して高画質化処理基板１１１に供給される。この高画質化処理基板１１１で高画質化処理された後の画像信号は共有メモリ１０８のスロットＡ出力領域を介して統合高画質化処理基板１１５に供給される。そして、この統合高画質化処理基板１１５でパネル用処理された画像信号Ｖoutは共有メモリ１０８のシステム出力領域を介して出力基板１０７に供給される。
【０３６４】
このノイズ除去ステートでは、図４４のステート遷移図に基づき、制御基板１０４は、ユーザのリモコン操作に応じて、MPEG_NR(val)、SYS_INPUT(val)、SYS_OUTPUT(val)、OUTPUT_DEV(val)、MF_VOL_X(val)、MF_VOL_Y(val)、MFvx_CRFM(val)、MFvy_PD(val)の基板間コマンドを、制御バス１０９を介して、各基板に送信できる。これにより、入力基板１０６の選択状態、出力基板１０７の選択状態、ノイズ除去処理基板１１３のノイズ除去強度パラメータ値、統合高画質化処理基板１１５のパネルの種類、統合高画質化パラメータ値、高画質化処理基板１１１の解像度パラメータ値、ノイズパラメータ値、時間方向高密度化処理基板１１４の単位時間当たりのフレーム数などが変更される。
【０３６５】
なお、MF_VOL_X(val)またはMF_VOL_Y(val)の基板間コマンドが発生されるとき、ノイズ除去ステートから高画質化ステートに遷移する。また、MFvx_CRFM(val)の基板間コマンドが発生されるとき、ノイズ除去ステートから時間方向高密度化ステートに遷移する。また、MFvy_PDの基板間コマンドが発生されるとき、ノイズ除去ステートから統合高画質化ステートに遷移する。
【０３６６】
時間方向高密度化ステートの処理系では、図４０〜図４３のマッチングテーブルメモリ１４４に記憶されている内容から、高画質化処理基板１１１の読み出し先情報が「スロットＤ出力」であり、その書き込み先情報が「スロットＡ出力」であり、ノイズ除去処理基板１１３の読み出し先情報が「システム入力」であり、その書き込み先情報が「スロットＣ出力」であり、時間方向高密度化処理基板１１４の読み出し先情報が「スロットＣ出力」であり、その書き込み先情報が「スロットＤ出力」であり、さらに統合高画質化処理基板１１５の読み出し先情報が「スロットＡ出力」であり、その書き込み先情報が「システム出力」であるため、画像信号の流れは、図７１に示すようになる。
【０３６７】
つまり、入力基板１０６からの画像信号Ｖinは共有メモリ１０８のシステム入力領域を通じてノイズ除去処理基板１１３に供給される。このノイズ除去処理基板１１３でノイズ除去処理された後の画像信号は共有メモリ１０８のスロットＣ出力領域を介して時間方向高密度化処理基板１１４に供給される。この時間方向高密度化処理基板１１４で時間方向高密度化処理された後の画像信号は共有メモリ１０８のスロットＤ出力領域を介して高画質化処理基板１１１に供給される。この高画質化処理基板１１１で高画質化処理された後の画像信号は共有メモリ１０８のスロットＡ出力領域を介して統合高画質化処理基板１１５に供給される。そして、この統合高画質化処理基板１１５でパネル用処理された後の画像信号Ｖoutは共有メモリ１０８のシステム出力領域を介して出力基板１０７に供給される。
【０３６８】
この時間方向高密度化ステートでは、図４４のステート遷移図に基づき、制御基板１０４は、ユーザのリモコン操作に応じて、MFvx_VOL_X(val)、MFvx_VOL_Y(val)、MFvx_CRFM、SYS_INPUT(val)、SYS_OUTPUT(val)、OUTPUT_DEV(val)、MF_VOL_X(val)、MF_VOL_Y(val)、MPEG_NR(val)、MFvy_PD(val)の基板間コマンドを、制御バス１０９を介して、各基板に送信できる。これにより、入力基板１０６の選択状態、出力基板１０７の選択状態、時間方向高密度化処理基板１１４の単位時間当たりのフレーム数、統合高画質化処理基板１１５のパネルの種類、統合高画質化パラメータ値、高画質化処理基板１１１の解像度パラメータ値、ノイズパラメータ値、ノイズ除去処理基板１１３のノイズ除去強度パラメータ値などが変更される。
【０３６９】
なお、MF_VOL_X(val)またはMF_VOL_Y(val)の基板間コマンドが発生されるとき、時間方向高密度化ステートから高画質化ステートに遷移する。また、MPEG_NR(val)の基板間コマンドが発生されるとき、時間方向高密度化ステートからノイズ除去ステートに遷移する。また、MFvy_PD(val)の基板間コマンドが発生されるとき、ノイズ除去ステートから統合高画質化ステートに遷移する。
【０３７０】
統合高画質化ステートの処理系では、図４０〜図４３のマッチングテーブルメモリ１４４に記憶されている内容から、高画質化処理基板１１１の読み出し先情報が「スロットＣ出力」であり、その書き込み先情報が「スロットＡ出力」であり、ノイズ除去処理基板１１３の読み出し先情報が「システム入力」であり、その書き込み先情報が「スロットＣ出力」であり、時間方向高密度化処理基板１１４の読み出し先情報が「スロットＣ出力」であり、その書き込み先情報が「スロットＤ出力」であり、さらに統合高画質化処理基板１１５の読み出し先情報が「スロットＡ出力、スロットＤ出力」であり、その書き込み先情報が「システム出力」である。また、時間方向高密度化処理基板１１４の動作は、動きベクトルデータ出力モードとなる。したがって、この統合高画質化ステートの処理系における画像信号および動きベクトルデータの流れは、図７２に示すようになる。
【０３７１】
つまり、入力基板１０６からの画像信号Ｖinは共有メモリ１０８のシステム入力領域を通じてノイズ除去処理基板１１３に供給される。このノイズ除去処理基板１１３でノイズ除去処理された後の画像信号は共有メモリ１０８のスロットＣ出力領域を介して高画質化処理基板１１１に供給される。この高画質化処理基板１１１で高画質化処理された画像信号は共有メモリ１０８のスロットＡ出力領域を介して統合高画質化処理基板１１５に供給される。
【０３７２】
また、ノイズ除去処理基板１１３でノイズ除去処理された後の画像信号は共有メモリ１０８のスロットＣ出力領域を介して時間方向高密度化処理基板１１４に供給される。この時間方向高密度化処理基板１１４において各フレームで画素毎に検出された動きベクトルデータは共有メモリ１０８のスロットＤ出力領域を介して統合高画質化処理基板１１５に供給される。この統合高画質化処理基板１１５は、高画質化処理基板１１１から供給された画像信号に対し、時間方向高密度化処理基板１１４から供給された動きベクトルデータを用い、動きベクトルが大きいとき、高域を強調することで画像のエッジがくっきりとなるようにし、残像感を軽減する処理を行うと共に、パネル用処理を行う。この統合高画質化処理基板１１５で処理された後の画像信号Ｖoutは共有メモリ１０８のシステム出力領域を介して出力基板１０７に供給される。
【０３７３】
この統合高画質化ステートでは、図４４のステート遷移図に基づき、制御基板１０４は、ユーザのリモコン操作に応じて、MFvy_VOL_X(val)、MFvy_VOL_Y(val)、MFvy_PD(val)、SYS_INPUT(val)、SYS_OUTPUT(val)、OUTPUT_DEV(val)、MF_VOL_X(val)、MF_VOL_Y(val)、MPEG_NR(val)、MFvx_CRFM(val)の基板間コマンドを、制御バス１０９を介して、各基板に送信できる。これにより、入力基板１０６の選択状態、出力基板１０７の選択状態、統合高画質化処理基板１１５のパネルの種類、統合高画質化パラメータ値、高画質化処理基板１１１の解像度パラメータ値、ノイズパラメータ値、ノイズ除去処理基板１１３のノイズ除去強度パラメータ値、時間方向高密度化処理基板１１４の単位時間当たりのフレーム数などが変更される。
【０３７４】
なお、MF_VOL_X(val)またはMF_VOL_Y(val)の基板間コマンドが発生されるとき、統合高画質化ステートから高画質化ステートに遷移する。また、MPEG_NR(val)の基板間コマンドが発生されるとき、統合高画質化ステートからノイズ除去ステートに遷移する。また、MFvx_CRFM(val)の基板間コマンドが発生されるとき、統合高画質化ステートから時間方向高密度化ステートに遷移する。
【０３７５】
また、高画質化ステート、ノイズ除去ステート、時間方向高密度化ステートまたは統合高画質化ステートで、システム終了のリモコン操作があるときは、制御基板１０４は、SYS_OUTPUT(0)の基板間コマンドを発生し、システム終了ルーチンの動作を開始する。この場合、制御基板１０４は、現在の処理基板の接続情報を取得し、この接続情報と、現在の設定情報（例えば入力基板１０６、出力基板１０７における選択情報およびステート情報など）とを、不揮発性メモリ１２３に書き込み、その後にシステムの電源をオフとする。
【０３７６】
以上説明したように、図１に示す画像信号処理装置１００においては、各処理基板が、処理で用いる信号を共有メモリ１０８から読み出し、処理結果を共有メモリ１０８に書き込む構成とされている。そのため、例えば処理基板の追加によるアップグレード時には、共有メモリ１０８に対する読み出し先、書き込み先を変更するのみで、各処理基板を所望の順に接続でき、従って処理基板の追加によるアップグレードを容易に行うことができる。
【０３７７】
また、図１に示す画像信号処理装置１００においては、電源オン時の処理基板スロット１０２ａ〜１０２ｄに接続される現在の処理基板の接続情報が電源オフ時の接続情報と異なる場合には、制御基板１０４のプログラムメモリ１２２、各処理基板のインタプリタ部１４０内のマッチングテーブルメモリ１４２およびプログラムメモリ１４４にアップグレードデータを書き込む処理を行うが、その際にマッチングテーブルメモリ１４２に書き込まれるデータの書き込み先情報、読み出し先情報を、各スロットにおける現在の処理基板の接続状態と一致するように書き換えるものであり、各アップグレードステージで、そのステージを構成する一つまたは複数の処理基板を、スロット１０２ａ〜１０２ｄのうちの任意の位置に挿入できる。
【０３７８】
また、図１に示す画像信号処理装置１００においては、各処理基板１１１〜１１５は、制御基板１０４から送られてくる基板間コマンド（共通コマンド）に応じて、適応的に動作する。したがって、所定の処理基板をバージョンアップして機能のアップグレードを図る場合に、制御基板１０４からのコマンドを変化させる必要はなく、容易に実現できる。つまりこの場合、この所定の処理基板のマッチングテーブルメモリ１４２およびプログラムメモリ１４４に記憶されているデータがバージョンアップに対応したものとなっていればよい。
【０３７９】
なお、上述実施の形態においては、高画質化処理基板１１１、パネル用処理基板１１２、ノイズ除去処理基板１１３、時間方向高密度化処理基板１１４および統合高画質化処理基板１１５等からなる画像信号処理装置１００を示したものであるが、処理基板の個数および種類はこれに限定されない。処理基板スロット数も４個に限定されない。
【０３８０】
また、上述実施の形態においては、アップグレードデータを、外部メモリスロット１０３に挿入されたアップグレードデータメモリから取得するものを示したが、磁気ディスク、光ディスク等のメディアから再生して取得し、あるいはインターネット等の所定のネットを介して、さらにはデジタル放送等の放送信号から取得するようにしてもよい。
【０３８１】
また、上述実施の形態においては、この発明を画像信号処理装置１００に適応したものであるが、この発明は、画像信号だけでなく、音声信号等のその他の情報信号を処理する装置にも同様に適用できる。
【０３８２】
また、上述実施の形態においては、機能ブロックは、基板を単位としているが、これに限定されるものではない。機能ブロックとしては、ＬＳＩ(Large Scale Integrated circuit)のチップを単位とすることもでき、またこれら基板、チップからなる装置を単位とすることもできる。
【産業上の利用可能性】
【０３８３】
この発明は、情報信号を複数の機能ブロックで処理するものにあって、機能ブロックの追加によるアップグレードを容易に実現できるものであり、例えば複数の機能ブロックを用いて画像信号にノイズ除去処理、高画質化処理等の一連の処理を行う画像信号処理装置等に適用できる。
【図面の簡単な説明】
【０３８４】
【図１】実施の形態としての画像信号処理装置の構成を示すブロック図である。
【図２】共有メモリのマッピングを示す図である。
【図３】処理基板の構成を示すブロック図である。
【図４】統合高画質化処理基板の構成を示すブロック図である。
【図５】処理基板のインタプリタ部の動作を示すフローチャートである。
【図６】入力基板の構成を示すブロック図である。
【図７】出力基板の構成を示すブロック図である。
【図８】制御基板の構成を示すブロック図である。
【図９】制御基板の機能ブロックを示すブロック図である。
【図１０】基本種別ＩＤと処理基板との対応関係を示す図である。
【図１１】アップグレードステージ１の基板挿入例を示すブロック図である。
【図１２】アップグレードステージ１の接続情報例を示す図である。
【図１３】アップグレードステージ２ａの基板挿入例を示すブロック図である。
【図１４】アップグレードステージ２ａの接続情報例を示す図である。
【図１５】アップグレードステージ２ｂの基板挿入例を示すブロック図である。
【図１６】アップグレードステージ２ｂの接続情報例を示す図である。
【図１７】アップグレードステージ３の基板挿入例を示すブロック図である。
【図１８】アップグレードステージ３の接続情報例を示す図である。
【図１９】アップグレードステージ４の基板挿入例を示すブロック図である。
【図２０】アップグレードステージ４の接続情報例を示す図である。
【図２１】アップグレードステージ５の基板挿入例を示すブロック図である。
【図２２】アップグレードステージ５の接続情報例を示す図である。
【図２３】高画質化処理基板のインタプリタデータ（アップグレードステージ１）を示す図である。
【図２４】ステート遷移図（アップグレードステージ１）を示す図である。
【図２５】高画質化処理基板のインタプリタデータ（アップグレードステージ２ａ）を示す図である。
【図２６】ノイズ除去処理基板のインタプリタデータ（アップグレードステージ２ａ）を示す図である。
【図２７】ステート遷移図（アップグレードステージ２ａ）を示す図である。
【図２８】高画質化処理基板のインタプリタデータ（アップグレードステージ２ｂ）を示す図である。
【図２９】時間方向高密度化処理基板のインタプリタデータ（アップグレードステージ２ｂ）を示す図である。
【図３０】ステート遷移図（アップグレードステージ２ｂ）を示す図である。
【図３１】高画質化処理基板のインタプリタデータ（アップグレードステージ３）を示す図である。
【図３２】ノイズ除去処理基板のインタプリタデータ（アップグレードステージ３）を示す図である。
【図３３】時間方向高密度化処理基板のインタプリタデータ（アップグレードステージ３）を示す図である。
【図３４】ステート遷移図（アップグレードステージ３）を示す図である。
【図３５】高画質化処理基板のインタプリタデータ（アップグレードステージ４）を示す図である。
【図３６】パネル用処理基板のインタプリタデータ（アップグレードステージ４）を示す図である。
【図３７】ノイズ除去処理基板のインタプリタデータ（アップグレードステージ４）を示す図である。
【図３８】時間方向高密度化処理基板のインタプリタデータ（アップグレードステージ４）を示す図である。
【図３９】ステート遷移図（アップグレードステージ４）を示す図である。
【図４０】高画質化処理基板のインタプリタデータ（アップグレードステージ５）を示す図である。
【図４１】ノイズ除去処理基板のインタプリタデータ（アップグレードステージ５）を示す図である。
【図４２】時間方向高密度化処理基板のインタプリタデータ（アップグレードステージ５）を示す図である。
【図４３】統合高画質化処理基板のインタプリタデータ（アップグレードステージ５）を示す図である。
【図４４】ステート遷移図（アップグレードステージ５）を示す図である。
【図４５】高画質化処理基板のアップグレードデータの一例（ステージ１→ステージ２ａ）を示す図である。
【図４６】高画質化処理基板のアップグレードデータの一例（ステージ２ａ→ステージ３）を示す図である。
【図４７】ノイズ除去処理基板のアップグレードデータの一例（ステージ２ａ→ステージ３）を示す図である。
【図４８】制御基板の動作を示すフローチャートである。
【図４９】スタートアップ処理部の構成を示すブロック図である。
【図５０】スタートアップ処理部の動作を示すフローチャートである。
【図５１】アップグレード処理部の構成を示すブロック図である。
【図５２】アップグレード処理部の動作を示すフローチャートである。
【図５３】システム制御部の構成を示すブロック図である。
【図５４】システム制御部の動作を示すフローチャートである。
【図５５】システム終了処理部の構成を示すブロック図である。
【図５６】システム終了処理部の動作を示すフローチャートである。
【図５７】画像信号の流れ（アップグレードステージ１、高画質化ステート時）を説明するための図である。
【図５８】画像信号の流れ（アップグレードステージ２ａ、高画質化ステート時）を説明するための図である。
【図５９】画像信号の流れ（アップグレードステージ２ａ、ノイズ除去ステート時）を説明するための図である。
【図６０】画像信号の流れ（アップグレードステージ２ｂ、高画質化ステート時）を説明するための図である。
【図６１】画像信号の流れ（アップグレードステージ２ｂ、時間方向高密度化ステート時）を説明するための図である。
【図６２】画像信号の流れ（アップグレードステージ３、高画質化ステート時）を説明するための図である。
【図６３】画像信号の流れ（アップグレードステージ３、ノイズ除去ステート時）を説明するための図である。
【図６４】画像信号の流れ（アップグレードステージ３、時間方向高密度化ステート時）を説明するための図である。
【図６５】基板間コマンドによるステート遷移の一例を示す図である。
【図６６】画像信号の流れ（アップグレードステージ４、高画質化ステート時）を説明するための図である。
【図６７】画像信号の流れ（アップグレードステージ４、ノイズ除去ステート時）を説明するための図である。
【図６８】画像信号の流れ（アップグレードステージ４、時間方向高密度化ステート時）を説明するための図である。
【図６９】画像信号の流れ（アップグレードステージ５、高画質化ステート時）を説明するための図である。
【図７０】画像信号の流れ（アップグレードステージ５、ノイズ除去ステート時）を説明するための図である。
【図７１】画像信号の流れ（アップグレードステージ５、時間方向高密度化ステート時）を説明するための図である。
【図７２】画像信号の流れ（アップグレードステージ５、統合高画質化ステート時）を説明するための図である。
【符号の説明】
【０３８５】
１００・・・画像信号処理装置、１０１・・・筐体、１０２ａ〜１０２ｄ・・・処理基板スロット、１０３・・・外部メモリスロット、１０４・・・制御基板、１０５・・・表示器、１０６・・・入力基板、１０７・・・出力基板、１０８・・・共有メモリ、１０９・・・制御バス、１１０・・・リモコン送信機（リモコン）、１１１・・・高画質化処理基板、１１２・・・パネル用処理基板、１１３・・・ノイズ除去処理基板、１１４・・・時間方向高密度化処理基板、１１５・・・統合高画質化処理基板、１２１・・・マイクロコントローラ、１２２・・・プログラムメモリ、１２３・・・設定情報・接続情報保存用の不揮発性メモリ、１２４・・・リモコンインタフェース、１２５・・・制御バスインタフェース、１２６・・・アップグレードデータ読み出し部、１２０・・・処理基板、１３０・・・処理基板スロットインタフェース部、１３１・・・制御バスインタフェース、１３２・・・共有メモリインタフェース、１４０・・・インタプリタ部、１４１・・・基板間コマンド比較部、１４２・・・マッチングテーブルメモリ、１４３・・・制御プログラム読み出し・実行部、１４４・・・プログラムメモリ、１４５・・・読み出し先・書き込み先設定部、１５０・・・信号処理部、１５１・・・キャッシュメモリコントローラ、１５２・・・キャッシュメモリ、１５３・・・統合高画質化処理部、２１０・・・制御バスインタフェース、２２０・・・共有メモリインタフェース、２２１・・・書き込み部、２３０・・・インタプリタ部、２３１・・・基板間コマンド比較部、２３２・・・マッチングテーブルメモリ、２３３・・・制御プログラム読み出し・実行部、２３４・・・プログラムメモリ、２４０・・・画像信号入力インタフェース、３１０・・・制御バスインタフェース、３２０・・・共有メモリインタフェース、３２１・・・読み出し部、３３０・・・インタプリタ部、３３１・・・基板間コマンド比較部、３３２・・・マッチングテーブルメモリ、３３３・・・制御プログラム読み出し・実行部、３３４・・・プログラムメモリ、３４０・・・画像信号出力インタフェース、４０１・・・スタートアップ処理部、４０２・・・アップグレード処理部、４０３・・・システム制御部、４０４・・・システム終了処理部
【図１】
2006011648.tif 000003
【図２】
2006011648.tif 000004
【図３】
2006011648.tif 000005
【図４】
2006011648.tif 000006
【図５】
2006011648.tif 000007
【図６】
2006011648.tif 000008
【図７】
2006011648.tif 000009
【図８】
2006011648.tif 000010
【図９】
2006011648.tif 000011
【図１０】
2006011648.tif 000012
【図１１】
2006011648.tif 000013
【図１２】
2006011648.tif 000014
【図１３】
2006011648.tif 000015
【図１４】
2006011648.tif 000016
【図１５】
2006011648.tif 000017
【図１６】
2006011648.tif 000018
【図１７】
2006011648.tif 000019
【図１８】
2006011648.tif 000020
【図１９】
2006011648.tif 000021
【図２０】
2006011648.tif 000022
【図２１】
2006011648.tif 000023
【図２２】
2006011648.tif 000024
【図２３】
2006011648.tif 000025
【図２４】
2006011648.tif 000026
【図２５】
2006011648.tif 000027
【図２６】
2006011648.tif 000028
【図２７】
2006011648.tif 000029
【図２８】
2006011648.tif 000030
【図２９】
2006011648.tif 000031
【図３０】
2006011648.tif 000032
【図３１】
2006011648.tif 000033
【図３２】
2006011648.tif 000034
【図３３】
2006011648.tif 000035
【図３４】
2006011648.tif 000036
【図３５】
2006011648.tif 000037
【図３６】
2006011648.tif 000038
【図３７】
2006011648.tif 000039
【図３８】
2006011648.tif 000040
【図３９】
2006011648.tif 000041
【図４０】
2006011648.tif 000042
【図４１】
2006011648.tif 000043
【図４２】
2006011648.tif 000044
【図４３】
2006011648.tif 000045
【図４４】
2006011648.tif 000046
【図４５】
2006011648.tif 000047
【図４６】
2006011648.tif 000048
【図４７】
2006011648.tif 000049
【図４８】
2006011648.tif 000050
【図４９】
2006011648.tif 000051
【図５０】
2006011648.tif 000052
【図５１】
2006011648.tif 000053
【図５２】
2006011648.tif 000054
【図５３】
2006011648.tif 000055
【図５４】
2006011648.tif 000056
【図５５】
2006011648.tif 000057
【図５６】
2006011648.tif 000058
【図５７】
2006011648.tif 000059
【図５８】
2006011648.tif 000060
【図５９】
2006011648.tif 000061
【図６０】
2006011648.tif 000062
【図６１】
2006011648.tif 000063
【図６２】
2006011648.tif 000064
【図６３】
2006011648.tif 000065
【図６４】
2006011648.tif 000066
【図６５】
2006011648.tif 000067
【図６６】
2006011648.tif 000068
【図６７】
2006011648.tif 000069
【図６８】
2006011648.tif 000070
【図６９】
2006011648.tif 000071
【図７０】
2006011648.tif 000072
【図７１】
2006011648.tif 000073
【図７２】
2006011648.tif 000074